(57)【特許請求の範囲】
【請求項１】
セルラ通信ネットワーク（１０）の無線アクセスノード（１６）からワイヤレスデバイス（２０）へのダウンリンク送信を受信するためにワイヤレスデバイス（２０）を動作させる方法であって、
前記無線アクセスノード（１６）によって送信されたダウンリンク制御情報を受信する（２００）ことであり、前記ダウンリンク制御情報が、前記無線アクセスノード（１６）から前記ワイヤレスデバイス（２０）へのダウンリンク送信のために使用される変調および符号化方式（ＭＣＳ）を示すＭＣＳインデクスを含む、受信する（２００）ことと、
前記ＭＣＳインデクス、およびトランスポートブロックサイズ（ＴＢＳ）インデクス値とＭＣＳインデクス値との間の既定の関係に基づいて、ＴＢＳインデクスを決定する（２０２）ことと、
第１の組の変調方式および２５６直交振幅変調（２５６ＱＡＭ）の両方をサポートするＴＢＳテーブルを使用して前記ダウンリンク送信のためにスケジューリングされた前記ＴＢＳインデクスとリソースブロックの数（ＮＲＢ）とに基づいて前記無線アクセスノード（１６）から前記ワイヤレスデバイス（２０）への前記ダウンリンク送信のためのＴＢＳを決定する（２０４）ことであり、前記ＴＢＳテーブルが、（ａ）２５６ＱＡＭは除いて前記第１の組の変調方式をサポートする既存のＴＢＳテーブルからの第１の組の行と、（ｂ）前記ＴＢＳテーブルを用意するために前記既存のＴＢＳテーブルに加えられ、前記第１の組の行に含まれるＴＢＳ値を含む第２の組の行とを含むＴＢＳテーブルである、ＴＢＳを決定する（２０４）ことと、
前記ダウンリンク制御情報と前記ダウンリンク送信のために決定された前記ＴＢＳとに従って前記無線アクセスノード（１６）からの前記ダウンリンク送信を受信する（２０６）ことと
を含む、方法であって、
前記ＴＢＳテーブルの前記第２の組の行が、前記既存のＴＢＳテーブルからの前記第１の組の行に含まれていないＮ個の新しいＴＢＳ値を含み、ここで、Ｎ≪Ｍであり、Ｍは前記第２の組の行のＴＢＳテーブルエントリの総数であり、
前記セルラ通信ネットワーク（１０）が、第３世代パートナーシッププロジェクト（３ＧＰＰ）ロングタームエボリューション（ＬＴＥ）ネットワークであり、前記第１の組の変調方式が、４相位相シフトキーイング（ＱＰＳＫ）、１６直交振幅変調（１６ＱＡＭ）、および６４ＱＡＭからなり、Ｎ＝８であり、８つの新しいＴＢＳ値が、７６，２０８、７８，７０４、８１，１７６、８４，７６０、８７，９３６、９０，８１６、９３，８００、および９７，８９６である、方法。
【請求項２】
前記ダウンリンク送信が、Ｌ個の空間多重レイヤを使用し、ここで、Ｌ＞１であり、前記ＴＢＳインデクスに基づいて前記ダウンリンク送信のための前記ＴＢＳを決定することが、１つの空間多重レイヤの値からＬ個の空間多重レイヤの値への前記ＴＢＳテーブルの前記ＴＢＳ値のうちの少なくとも一部の既定のマッピングをさらに使用する、請求項１に記載の方法。
【請求項３】
前記ダウンリンク送信が、Ｌ個の空間多重レイヤを使用し、ここで、Ｌ＞１であり、前記ＴＢＳインデクスに基づいて前記ダウンリンク送信のための前記ＴＢＳを決定することが、１つの空間多重レイヤの値からＬ個の空間多重レイヤの値への前記ＴＢＳテーブルの前記第２の組の行の前記Ｎ個の新しいＴＢＳ値の既定のマッピングをさらに使用する、請求項１に記載の方法。
【請求項４】
前記ダウンリンク送信が、２つの空間多重レイヤを使用し、前記ＴＢＳインデクスに基づいて前記ダウンリンク送信のための前記ＴＢＳを決定することが、１つの空間多重レイヤの値から以下の通りの２つの空間多重レイヤの値への前記ＴＢＳテーブルの前記第２の組の行の前記８つの新しいＴＢＳ値の既定のマッピングをさらに使用し、
・７６，２０８が、２つの空間多重レイヤの１５２，９７６にマッピングされ、
・７８，７０４が、２つの空間多重レイヤの１５７，４３２にマッピングされ、
・８１，１７６が、２つの空間多重レイヤの１６１，７６０にマッピングされ、
・８４，７６０が、２つの空間多重レイヤの１６９，５４４にマッピングされ、
・８７，９３６が、２つの空間多重レイヤの１７５，６００にマッピングされ、
・９０，８１６が、２つの空間多重レイヤの１８１，６５６にマッピングされ、
・９３，８００が、２つの空間多重レイヤの１８７，７１２にマッピングされ、
・９７，８９６が、２つの空間多重レイヤの１９５，８１６にマッピングされる、請求項１に記載の方法。
【請求項５】
前記ダウンリンク送信が、３つの空間多重レイヤを使用し、前記ＴＢＳインデクスに基づいて前記ダウンリンク送信のための前記ＴＢＳを決定することが、１つの空間多重レイヤの値から以下の通りの３つの空間多重レイヤの値への前記ＴＢＳテーブルの前記第２の組の行の前記８つの新しいＴＢＳ値の既定のマッピングをさらに使用し、
・７６，２０８が、３つの空間多重レイヤの２３０，１０４にマッピングされ、
・７８，７０４が、３つの空間多重レイヤの２３６，１６０にマッピングされ、
・８１，１７６が、３つの空間多重レイヤの２４５，６４８にマッピングされ、
・８４，７６０が、３つの空間多重レイヤの２５４，３２８にマッピングされ、
・８７，９３６が、３つの空間多重レイヤの２６６，４４０にマッピングされ、
・９０，８１６が、３つの空間多重レイヤの２７５，３７６にマッピングされ、
・９３，８００が、３つの空間多重レイヤの２８４，６０８にマッピングされ、
・９７，８９６が、３つの空間多重レイヤの２９３，７３６にマッピングされる、請求項１に記載の方法。
【請求項６】
前記ダウンリンク送信が、４つの空間多重レイヤを使用し、前記ＴＢＳインデクスに基づいて前記ダウンリンク送信のための前記ＴＢＳを決定することが、１つの空間多重レイヤの値から以下の通りの４つの空間多重レイヤの値への前記ＴＢＳテーブルの前記第２の組の行の前記８つの新しいＴＢＳ値の既定のマッピングをさらに使用し、
・７６，２０８が、４つの空間多重レイヤの３０５，９７６にマッピングされ、
・７８，７０４が、４つの空間多重レイヤの３１４，８８８にマッピングされ、
・８１，１７６が、４つの空間多重レイヤの３２７，０００にマッピングされ、
・８４，７６０が、４つの空間多重レイヤの３３９，１１２にマッピングされ、
・８７，９３６が、４つの空間多重レイヤの３５４，９３６にマッピングされ、
・９０，８１６が、４つの空間多重レイヤの３６３，３３６にマッピングされ、
・９３，８００が、４つの空間多重レイヤの３７５，４４８にマッピングされ、
・９７，８９６が、４つの空間多重レイヤの３９１，６５６にマッピングされる、請求項１に記載の方法。
【請求項７】
セルラ通信ネットワーク（１０）の無線アクセスノード（１６）からワイヤレスデバイス（２０）へのダウンリンク送信を受信するためにワイヤレスデバイス（２０）を動作させる方法であって、
前記無線アクセスノード（１６）によって送信されたダウンリンク制御情報を受信する（２００）ことであり、前記ダウンリンク制御情報が、前記無線アクセスノード（１６）から前記ワイヤレスデバイス（２０）へのダウンリンク送信のために使用される変調および符号化方式（ＭＣＳ）を示すＭＣＳインデクスを含む、受信する（２００）ことと、
前記ＭＣＳインデクス、およびトランスポートブロックサイズ（ＴＢＳ）インデクス値とＭＣＳインデクス値との間の既定の関係に基づいて、ＴＢＳインデクスを決定する（２０２）ことと、
第１の組の変調方式および２５６直交振幅変調（２５６ＱＡＭ）の両方をサポートするＴＢＳテーブルを使用して前記ダウンリンク送信のためにスケジューリングされた前記ＴＢＳインデクスとリソースブロックの数（ＮＲＢ）とに基づいて前記無線アクセスノード（１６）から前記ワイヤレスデバイス（２０）への前記ダウンリンク送信のためのＴＢＳを決定する（２０４）ことであり、前記ＴＢＳテーブルが、（ａ）２５６ＱＡＭは除いて前記第１の組の変調方式をサポートする既存のＴＢＳテーブルからの第１の組の行と、（ｂ）前記ＴＢＳテーブルを用意するために前記既存のＴＢＳテーブルに加えられ、前記第１の組の行に含まれるＴＢＳ値を含む第２の組の行とを含むＴＢＳテーブルである、ＴＢＳを決定する（２０４）ことと、
前記ダウンリンク制御情報と前記ダウンリンク送信のために決定された前記ＴＢＳとに従って前記無線アクセスノード（１６）からの前記ダウンリンク送信を受信する（２０６）ことと
を含む、方法であって、
前記ＴＢＳテーブルの前記第２の組の行が、前記既存のＴＢＳテーブルからの前記第１の組の行に含まれていないＮ個の新しいＴＢＳ値を含み、ここで、Ｎ≪Ｍであり、Ｍは前記第２の組の行のＴＢＳテーブルエントリの総数であり、
前記ＴＢＳテーブルは、ＮＲＢ＝１００のための前記ＴＢＳテーブルの最大ＴＢＳ値がＮＲＢ＞１００での前記ＴＢＳテーブルのピークＴＢＳ値として使用されるようなものである、方法。
【請求項８】
前記セルラ通信ネットワーク（１０）が、第３世代パートナーシッププロジェクト（３ＧＰＰ）ロングタームエボリューション（ＬＴＥ）ネットワーク、Ｎ＝５であり、前記５つの新しいＴＢＳ値が、７６，２０８、７８，７０４、８１，１７６、８４，７６０、および８７，９３６であり、ここで、８７，９３６が前記ＴＢＳテーブルの前記ピークＴＢＳ値である、請求項７に記載の方法。
【請求項９】
前記ダウンリンク送信が、２つの空間多重レイヤを使用し、前記ＴＢＳインデクスに基づいて前記ダウンリンク送信のための前記ＴＢＳを決定することが、１つの空間多重レイヤの値から以下の通りの２つの空間多重レイヤの値への前記ＴＢＳテーブルの前記第２の組の行の前記５つの新しいＴＢＳ値の既定のマッピングをさらに使用し、
・７６，２０８が、２つの空間多重レイヤの１５２，９７６にマッピングされ、
・７８，７０４が、２つの空間多重レイヤの１５７，４３２にマッピングされ、
・８１，１７６が、２つの空間多重レイヤの１６１，７６０にマッピングされ、
・８４，７６０が、２つの空間多重レイヤの１６９，５４４にマッピングされ、
・８７，９３６が、２つの空間多重レイヤの１７５，６００にマッピングされる、請求項８に記載の方法。
【請求項１０】
前記ダウンリンク送信が、３つの空間多重レイヤを使用し、前記ＴＢＳインデクスに基づいて前記ダウンリンク送信のための前記ＴＢＳを決定することが、１つの空間多重レイヤの値から以下の通りの３つの空間多重レイヤの値への前記ＴＢＳテーブルの前記第２の組の行の前記５つの新しいＴＢＳ値の既定のマッピングをさらに使用し、
・７６，２０８が、３つの空間多重レイヤの２３０，１０４にマッピングされ、
・７８，７０４が、３つの空間多重レイヤの２３６，１６０にマッピングされ、
・８１，１７６が、３つの空間多重レイヤの２４５，６４８にマッピングされ、
・８４，７６０が、３つの空間多重レイヤの２５４，３２８にマッピングされ、
・８７，９３６が、３つの空間多重レイヤの２６６，４４０にマッピングされる、請求項８に記載の方法。
【請求項１１】
前記ダウンリンク送信が、４つの空間多重レイヤを使用し、前記ＴＢＳインデクスに基づいて前記ダウンリンク送信のための前記ＴＢＳを決定することが、１つの空間多重レイヤの値から以下の通りの４つの空間多重レイヤの値への前記ＴＢＳテーブルの前記第２の組の行の前記５つの新しいＴＢＳ値の既定のマッピングをさらに使用し、
・７６，２０８が、４つの空間多重レイヤの３０５，９７６にマッピングされ、
・７８，７０４が、４つの空間多重レイヤの３１４，８８８にマッピングされ、
・８１，１７６が、４つの空間多重レイヤの３２７，０００にマッピングされ、
・８４，７６０が、４つの空間多重レイヤの３３９，１１２にマッピングされ、
・８７，９３６が、４つの空間多重レイヤの３５４，９３６にマッピングされる、請求項８に記載の方法。
【請求項１２】
前記ピークＴＢＳ値が８８，８９６である、請求項７に記載の方法。
【請求項１３】
前記セルラ通信ネットワーク（１０）が、第３世代パートナーシッププロジェクト（３ＧＰＰ）ロングタームエボリューション（ＬＴＥ）ネットワーク、Ｎ＝６であり、前記６つの新しいＴＢＳ値が、７６，２０８、７８，７０４、８１，１７６、８４，７６０、８７，９３６、および８８，８９６である、請求項１２に記載の方法。
【請求項１４】
前記ダウンリンク送信が、２つの空間多重レイヤを使用し、前記ＴＢＳインデクスに基づいて前記ダウンリンク送信のための前記ＴＢＳを決定することが、１つの空間多重レイヤの値から以下の通りの２つの空間多重レイヤの値への前記ＴＢＳテーブルの前記第２の組の行の前記６つの新しいＴＢＳ値の既定のマッピングをさらに使用し、
・７６，２０８が、２つの空間多重レイヤの１５２，９７６にマッピングされ、
・７８，７０４が、２つの空間多重レイヤの１５７，４３２にマッピングされ、
・８１，１７６が、２つの空間多重レイヤの１６１，７６０にマッピングされ、
・８４，７６０が、２つの空間多重レイヤの１６９，５４４にマッピングされ、
・８７，９３６が、２つの空間多重レイヤの１７５，６００にマッピングされ、
・８８，８９６が、２つの空間多重レイヤの１７７，８１６にマッピングされる、請求項１３に記載の方法。
【請求項１５】
前記ダウンリンク送信が、３つの空間多重レイヤを使用し、前記ＴＢＳインデクスに基づいて前記ダウンリンク送信のための前記ＴＢＳを決定することが、１つの空間多重レイヤの値から以下の通りの３つの空間多重レイヤの値への前記ＴＢＳテーブルの前記第２の組の行の前記６つの新しいＴＢＳ値の既定のマッピングをさらに使用し、
・７６，２０８が、３つの空間多重レイヤの２３０，１０４にマッピングされ、
・７８，７０４が、３つの空間多重レイヤの２３６，１６０にマッピングされ、
・８１，１７６が、３つの空間多重レイヤの２４５，６４８にマッピングされ、
・８４，７６０が、３つの空間多重レイヤの２５４，３２８にマッピングされ、
・８７，９３６が、３つの空間多重レイヤの２６６，４４０にマッピングされ、
・８８，８９６が、３つの空間多重レイヤの２６６，４４０にマッピングされる、請求項１３に記載の方法。
【請求項１６】
前記ダウンリンク送信が、４つの空間多重レイヤを使用し、前記ＴＢＳインデクスに基づいて前記ダウンリンク送信のための前記ＴＢＳを決定することが、１つの空間多重レイヤの値から以下の通りの４つの空間多重レイヤの値への前記ＴＢＳテーブルの前記第２の組の行の前記６つの新しいＴＢＳ値の既定のマッピングをさらに使用し、
・７６，２０８が、４つの空間多重レイヤの３０５，９７６にマッピングされ、
・７８，７０４が、４つの空間多重レイヤの３１４，８８８にマッピングされ、
・８１，１７６が、４つの空間多重レイヤの３２７，０００にマッピングされ、
・８４，７６０が、４つの空間多重レイヤの３３９，１１２にマッピングされ、
・８７，９３６が、４つの空間多重レイヤの３５４，９３６にマッピングされ、
・８８，８９６が、４つの空間多重レイヤの３５７，２８０にマッピングされる、請求項１３に記載の方法。
【請求項１７】
セルラ通信ネットワーク（１０）の無線アクセスノード（１６）からワイヤレスデバイス（２０）へのダウンリンク送信を受信することを可能にするワイヤレスデバイス（２０）であって、
受信器（３０）と、
少なくとも１つのプロセッサ（２２）と、
前記少なくとも１つのプロセッサ（２２）によって実行可能なソフトウェア命令を含むメモリ（２４）であり、それによって、前記ワイヤレスデバイス（２０）が、
前記受信器（３０）を介して、前記無線アクセスノード（１６）によって送信されたダウンリンク制御情報を受信する（２００）ことであり、前記ダウンリンク制御情報が、前記無線アクセスノード（１６）から前記ワイヤレスデバイス（２０）へのダウンリンク送信のために使用される変調および符号化方式（ＭＣＳ）を示すＭＣＳインデクスを含む、受信する（２００）ことと、
前記ＭＣＳインデクス、およびトランスポートブロックサイズ（ＴＢＳ）インデクス値とＭＣＳインデクス値との間の既定の関係に基づいて、ＴＢＳインデクスを決定する（２０２）ことと、
第１の組の変調方式および２５６直交振幅変調（２５６ＱＡＭ）の両方をサポートするＴＢＳテーブルを使用して前記ダウンリンク送信のためにスケジューリングされた前記ＴＢＳインデクスとリソースブロックの数（ＮＲＢ）とに基づいて前記無線アクセスノード（１６）から前記ワイヤレスデバイス（２０）への前記ダウンリンク送信のためのＴＢＳを決定する（２０４）ことであり、前記ＴＢＳテーブルが、（ａ）２５６ＱＡＭは除いて前記第１の組の変調方式をサポートする既存のＴＢＳテーブルからの第１の組の行と、（ｂ）前記ＴＢＳテーブルを用意するために前記既存のＴＢＳテーブルに加えられ、前記第１の組の行に含まれるＴＢＳ値を含む第２の組の行とを含むＴＢＳテーブルである、決定する（２０４）ことと、
前記受信器を介して、前記ダウンリンク制御情報と前記ダウンリンク送信のために決定された前記ＴＢＳとに従って前記無線アクセスノード（１６）からの前記ダウンリンク送信を受信する（２０６）ことと
を行うように動作する、メモリ（２４）と
を備える、ワイヤレスデバイス（２０）であって、
前記ＴＢＳテーブルの前記第２の組の行が、前記既存のＴＢＳテーブルからの前記第１の組の行に含まれていないＮ個の新しいＴＢＳ値を含み、ここで、Ｎ≪Ｍであり、Ｍは前記第２の組の行のＴＢＳテーブルエントリの総数であり、
前記セルラ通信ネットワーク（１０）が、第３世代パートナーシッププロジェクト（３ＧＰＰ）ロングタームエボリューション（ＬＴＥ）ネットワークであり、前記第１の組の変調方式が、４相位相シフトキーイング（ＱＰＳＫ）、１６直交振幅変調（１６ＱＡＭ）、および６４ＱＡＭからなり、Ｎ＝８であり、８つの新しいＴＢＳ値が、７６，２０８、７８，７０４、８１，１７６、８４，７６０、８７，９３６、９０，８１６、９３，８００、および９７，８９６である、ワイヤレスデバイス（２０）。
【請求項１８】
セルラ通信ネットワーク（１０）の無線アクセスノード（１６）からワイヤレスデバイス（２０）へのダウンリンク送信を受信することを可能にするワイヤレスデバイス（２０）であって、
受信器（３０）と、
少なくとも１つのプロセッサ（２２）と、
前記少なくとも１つのプロセッサ（２２）によって実行可能なソフトウェア命令を含むメモリ（２４）であり、それによって、前記ワイヤレスデバイス（２０）が、
前記受信器（３０）を介して、前記無線アクセスノード（１６）によって送信されたダウンリンク制御情報を受信する（２００）ことであり、前記ダウンリンク制御情報が、前記無線アクセスノード（１６）から前記ワイヤレスデバイス（２０）へのダウンリンク送信のために使用される変調および符号化方式（ＭＣＳ）を示すＭＣＳインデクスを含む、受信する（２００）ことと、
前記ＭＣＳインデクス、およびトランスポートブロックサイズ（ＴＢＳ）インデクス値とＭＣＳインデクス値との間の既定の関係に基づいて、ＴＢＳインデクスを決定する（２０２）ことと、
第１の組の変調方式および２５６直交振幅変調（２５６ＱＡＭ）の両方をサポートするＴＢＳテーブルを使用して前記ダウンリンク送信のためにスケジューリングされた前記ＴＢＳインデクスとリソースブロックの数（ＮＲＢ）とに基づいて前記無線アクセスノード（１６）から前記ワイヤレスデバイス（２０）への前記ダウンリンク送信のためのＴＢＳを決定する（２０４）ことであり、前記ＴＢＳテーブルが、（ａ）２５６ＱＡＭは除いて前記第１の組の変調方式をサポートする既存のＴＢＳテーブルからの第１の組の行と、（ｂ）前記ＴＢＳテーブルを用意するために前記既存のＴＢＳテーブルに加えられ、前記第１の組の行に含まれるＴＢＳ値を含む第２の組の行とを含むＴＢＳテーブルである、決定する（２０４）ことと、
前記受信器を介して、前記ダウンリンク制御情報と前記ダウンリンク送信のために決定された前記ＴＢＳとに従って前記無線アクセスノード（１６）からの前記ダウンリンク送信を受信する（２０６）ことと
を行うように動作する、メモリ（２４）と
を備える、ワイヤレスデバイス（２０）であって、
前記ＴＢＳテーブルの前記第２の組の行が、前記既存のＴＢＳテーブルからの前記第１の組の行に含まれていないＮ個の新しいＴＢＳ値を含み、ここで、Ｎ≪Ｍであり、Ｍは前記第２の組の行のＴＢＳテーブルエントリの総数であり、
前記ＴＢＳテーブルは、ＮＲＢ＝１００のための前記ＴＢＳテーブルの最大ＴＢＳ値がＮＲＢ＞１００での前記ＴＢＳテーブルのピークＴＢＳ値として使用されるようなものである、ワイヤレスデバイス（２０）。
【請求項１９】
無線アクセスノード（１６）からワイヤレスデバイス（２０）へのダウンリンク送信を送信するためにセルラ通信ネットワーク（１０）の無線アクセスノード（１６）を動作させる方法であって、
前記無線アクセスノード（１６）から前記ワイヤレスデバイス（２０）へのダウンリンク送信のための変調および符号化方式（ＭＣＳ）を決定する（３００）ことであり、前記ＭＣＳが、対応するＭＣＳインデクスを有する、決定する（３００）ことと、
前記ＭＣＳインデクス、およびトランスポートブロックサイズ（ＴＢＳ）インデクス値とＭＣＳインデクス値との間の既定の関係に基づいて、ＴＢＳインデクスを決定する（３０２）ことと、
第１の組の変調方式および２５６直交振幅変調（２５６ＱＡＭ）の両方をサポートするＴＢＳテーブルを使用して前記ダウンリンク送信のためにスケジューリングされた前記ＴＢＳインデクスとリソースブロックの数（ＮＲＢ）とに基づいて前記無線アクセスノード（１６）から前記ワイヤレスデバイス（２０）への前記ダウンリンク送信のためのＴＢＳを決定する（３０４）ことであり、前記ＴＢＳテーブルが、（ａ）２５６ＱＡＭは除いて前記第１の組の変調方式をサポートする既存のＴＢＳテーブルからの第１の組の行と、（ｂ）前記ＴＢＳテーブルを用意するために前記既存のＴＢＳテーブルに加えられ、前記第１の組の行に含まれるＴＢＳ値を含む第２の組の行とを含むＴＢＳテーブルである、決定する（３０４）ことと、
前記ダウンリンク制御情報のために決定された前記ＴＢＳを使用して前記無線アクセスノード（１６）から前記ワイヤレスデバイス（２０）への前記ダウンリンク送信を送信する（３０６）ことと
を含む、方法であって、
前記ＴＢＳテーブルの前記第２の組の行が、前記既存のＴＢＳテーブルからの前記第１の組の行に含まれていないＮ個の新しいＴＢＳ値を含み、ここで、Ｎ≪Ｍであり、Ｍは前記第２の組の行のＴＢＳテーブルエントリの総数であり、
前記セルラ通信ネットワーク（１０）が、第３世代パートナーシッププロジェクト（３ＧＰＰ）ロングタームエボリューション（ＬＴＥ）ネットワークであり、前記第１の組の変調方式が、４相位相シフトキーイング（ＱＰＳＫ）、１６直交振幅変調（１６ＱＡＭ）、および６４ＱＡＭからなり、Ｎ＝８であり、８つの新しいＴＢＳ値が、７６，２０８、７８，７０４、８１，１７６、８４，７６０、８７，９３６、９０，８１６、９３，８００、および９７，８９６である、方法。
【請求項２０】
前記ダウンリンク送信が、Ｌ個の空間多重レイヤを使用し、ここで、Ｌ＞１であり、前記ＴＢＳインデクスに基づいて前記ダウンリンク送信のための前記ＴＢＳを決定することが、１つの空間多重レイヤの値からＬ個の空間多重レイヤの値への前記ＴＢＳテーブルの前記ＴＢＳ値のうちの少なくとも一部の既定のマッピングをさらに使用する、請求項１９に記載の方法。
【請求項２１】
前記ダウンリンク送信が、Ｌ個の空間多重レイヤを使用し、ここで、Ｌ＞１であり、前記ＴＢＳインデクスに基づいて前記ダウンリンク送信のための前記ＴＢＳを決定することが、１つの空間多重レイヤの値からＬ個の空間多重レイヤの値への前記ＴＢＳテーブルの前記第２の組の行の前記Ｎ個の新しいＴＢＳ値の既定のマッピングをさらに使用する、請求項１９に記載の方法。
【請求項２２】
前記ダウンリンク送信が、２つの空間多重レイヤを使用し、前記ＴＢＳインデクスに基づいて前記ダウンリンク送信のための前記ＴＢＳを決定することが、１つの空間多重レイヤの値から以下の通りの２つの空間多重レイヤの値への前記ＴＢＳテーブルの前記第２の組の行の前記８つの新しいＴＢＳ値の既定のマッピングをさらに使用し、
・７６，２０８が、２つの空間多重レイヤの１５２，９７６にマッピングされ、
・７８，７０４が、２つの空間多重レイヤの１５７，４３２にマッピングされ、
・８１，１７６が、２つの空間多重レイヤの１６１，７６０にマッピングされ、
・８４，７６０が、２つの空間多重レイヤの１６９，５４４にマッピングされ、
・８７，９３６が、２つの空間多重レイヤの１７５，６００にマッピングされ、
・９０，８１６が、２つの空間多重レイヤの１８１，６５６にマッピングされ、
・９３，８００が、２つの空間多重レイヤの１８７，７１２にマッピングされ、
・９７，８９６が、２つの空間多重レイヤの１９５，８１６にマッピングされる、請求項１９に記載の方法。
【請求項２３】
前記ダウンリンク送信が、３つの空間多重レイヤを使用し、前記ＴＢＳインデクスに基づいて前記ダウンリンク送信のための前記ＴＢＳを決定することが、１つの空間多重レイヤの値から以下の通りの３つの空間多重レイヤの値への前記ＴＢＳテーブルの前記第２の組の行の前記８つの新しいＴＢＳ値の既定のマッピングをさらに使用し、
・７６，２０８が、３つの空間多重レイヤの２３０，１０４にマッピングされ、
・７８，７０４が、３つの空間多重レイヤの２３６，１６０にマッピングされ、
・８１，１７６が、３つの空間多重レイヤの２４５，６４８にマッピングされ、
・８４，７６０が、３つの空間多重レイヤの２５４，３２８にマッピングされ、
・８７，９３６が、３つの空間多重レイヤの２６６，４４０にマッピングされ、
・９０，８１６が、３つの空間多重レイヤの２７５，３７６にマッピングされ、
・９３，８００が、３つの空間多重レイヤの２８４，６０８にマッピングされ、
・９７，８９６が、３つの空間多重レイヤの２９３，７３６にマッピングされる、請求項１９に記載の方法。
【請求項２４】
前記ダウンリンク送信が、４つの空間多重レイヤを使用し、前記ＴＢＳインデクスに基づいて前記ダウンリンク送信のための前記ＴＢＳを決定することが、１つの空間多重レイヤの値から以下の通りの４つの空間多重レイヤの値への前記ＴＢＳテーブルの前記第２の組の行の前記８つの新しいＴＢＳ値の既定のマッピングをさらに使用し、
・７６，２０８が、４つの空間多重レイヤの３０５，９７６にマッピングされ、
・７８，７０４が、４つの空間多重レイヤの３１４，８８８にマッピングされ、
・８１，１７６が、４つの空間多重レイヤの３２７，０００にマッピングされ、
・８４，７６０が、４つの空間多重レイヤの３３９，１１２にマッピングされ、
・８７，９３６が、４つの空間多重レイヤの３５４，９３６にマッピングされ、
・９０，８１６が、４つの空間多重レイヤの３６３，３３６にマッピングされ、
・９３，８００が、４つの空間多重レイヤの３７５，４４８にマッピングされ、
・９７，８９６が、４つの空間多重レイヤの３９１，６５６にマッピングされる、請求項１９に記載の方法。
【請求項２５】
無線アクセスノード（１６）からワイヤレスデバイス（２０）へのダウンリンク送信を送信するためにセルラ通信ネットワーク（１０）の無線アクセスノード（１６）を動作させる方法であって、
前記無線アクセスノード（１６）から前記ワイヤレスデバイス（２０）へのダウンリンク送信のための変調および符号化方式（ＭＣＳ）を決定する（３００）ことであり、前記ＭＣＳが、対応するＭＣＳインデクスを有する、決定する（３００）ことと、
前記ＭＣＳインデクス、およびトランスポートブロックサイズ（ＴＢＳ）インデクス値とＭＣＳインデクス値との間の既定の関係に基づいて、ＴＢＳインデクスを決定する（３０２）ことと、
第１の組の変調方式および２５６直交振幅変調（２５６ＱＡＭ）の両方をサポートするＴＢＳテーブルを使用して前記ダウンリンク送信のためにスケジューリングされた前記ＴＢＳインデクスとリソースブロックの数（ＮＲＢ）とに基づいて前記無線アクセスノード（１６）から前記ワイヤレスデバイス（２０）への前記ダウンリンク送信のためのＴＢＳを決定する（３０４）ことであり、前記ＴＢＳテーブルが、（ａ）２５６ＱＡＭは除いて前記第１の組の変調方式をサポートする既存のＴＢＳテーブルからの第１の組の行と、（ｂ）前記ＴＢＳテーブルを用意するために前記既存のＴＢＳテーブルに加えられ、前記第１の組の行に含まれるＴＢＳ値を含む第２の組の行とを含むＴＢＳテーブルである、決定する（３０４）ことと、
前記ダウンリンク制御情報のために決定された前記ＴＢＳを使用して前記無線アクセスノード（１６）から前記ワイヤレスデバイス（２０）への前記ダウンリンク送信を送信する（３０６）ことと
を含む、方法であって、
前記ＴＢＳテーブルの前記第２の組の行が、前記既存のＴＢＳテーブルからの前記第１の組の行に含まれていないＮ個の新しいＴＢＳ値を含み、ここで、Ｎ≪Ｍであり、Ｍは前記第２の組の行のＴＢＳテーブルエントリの総数であり、
前記ＴＢＳテーブルは、ＮＲＢ＝１００のための前記ＴＢＳテーブルの最大ＴＢＳ値がＮＲＢ＞１００での前記ＴＢＳテーブルのピークＴＢＳ値として使用されるようなものである、方法。
【請求項２６】
前記セルラ通信ネットワーク（１０）が、第３世代パートナーシッププロジェクト（３ＧＰＰ）ロングタームエボリューション（ＬＴＥ）ネットワーク、Ｎ＝５であり、前記５つの新しいＴＢＳ値が、７６，２０８、７８，７０４、８１，１７６、８４，７６０、および８７，９３６であり、ここで、８７，９３６が前記ＴＢＳテーブルの前記ピークＴＢＳ値である、請求項２５に記載の方法。
【請求項２７】
前記ダウンリンク送信が、２つの空間多重レイヤを使用し、前記ＴＢＳインデクスに基づいて前記ダウンリンク送信のための前記ＴＢＳを決定することが、１つの空間多重レイヤの値から以下の通りの２つの空間多重レイヤの値への前記ＴＢＳテーブルの前記第２の組の行の前記５つの新しいＴＢＳ値の既定のマッピングをさらに使用し、
・７６，２０８が、２つの空間多重レイヤの１５２，９７６にマッピングされ、
・７８，７０４が、２つの空間多重レイヤの１５７，４３２にマッピングされ、
・８１，１７６が、２つの空間多重レイヤの１６１，７６０にマッピングされ、
・８４，７６０が、２つの空間多重レイヤの１６９，５４４にマッピングされ、
・８７，９３６が、２つの空間多重レイヤの１７５，６００にマッピングされる、請求項２６に記載の方法。
【請求項２８】
前記ダウンリンク送信が、３つの空間多重レイヤを使用し、前記ＴＢＳインデクスに基づいて前記ダウンリンク送信のための前記ＴＢＳを決定することが、１つの空間多重レイヤの値から以下の通りの３つの空間多重レイヤの値への前記ＴＢＳテーブルの前記第２の組の行の前記５つの新しいＴＢＳ値の既定のマッピングをさらに使用し、
・７６，２０８が、３つの空間多重レイヤの２３０，１０４にマッピングされ、
・７８，７０４が、３つの空間多重レイヤの２３６，１６０にマッピングされ、
・８１，１７６が、３つの空間多重レイヤの２４５，６４８にマッピングされ、
・８４，７６０が、３つの空間多重レイヤの２５４，３２８にマッピングされ、
・８７，９３６が、３つの空間多重レイヤの２６６，４４０にマッピングされる、請求項２６に記載の方法。
【請求項２９】
前記ダウンリンク送信が、４つの空間多重レイヤを使用し、前記ＴＢＳインデクスに基づいて前記ダウンリンク送信のための前記ＴＢＳを決定することが、１つの空間多重レイヤの値から以下の通りの４つの空間多重レイヤの値への前記ＴＢＳテーブルの前記第２の組の行の前記５つの新しいＴＢＳ値の既定のマッピングをさらに使用し、
・７６，２０８が、４つの空間多重レイヤの３０５，９７６にマッピングされ、
・７８，７０４が、４つの空間多重レイヤの３１４，８８８にマッピングされ、
・８１，１７６が、４つの空間多重レイヤの３２７，０００にマッピングされ、
・８４，７６０が、４つの空間多重レイヤの３３９，１１２にマッピングされ、
・８７，９３６が、４つの空間多重レイヤの３５４，９３６にマッピングされる、請求項２６に記載の方法。
【請求項３０】
前記ピークＴＢＳ値が８８，８９６である、請求項２５に記載の方法。
【請求項３１】
前記セルラ通信ネットワーク（１０）が、第３世代パートナーシッププロジェクト（３ＧＰＰ）ロングタームエボリューション（ＬＴＥ）ネットワーク、Ｎ＝６であり、前記６つの新しいＴＢＳ値が、７６，２０８、７８，７０４、８１，１７６、８４，７６０、８７，９３６、および８８，８９６である、請求項３０に記載の方法。
【請求項３２】
前記ダウンリンク送信が、２つの空間多重レイヤを使用し、前記ＴＢＳインデクスに基づいて前記ダウンリンク送信のための前記ＴＢＳを決定することが、１つの空間多重レイヤの値から以下の通りの２つの空間多重レイヤの値への前記ＴＢＳテーブルの前記第２の組の行の前記６つの新しいＴＢＳ値の既定のマッピングをさらに使用し、
・７６，２０８が、２つの空間多重レイヤの１５２，９７６にマッピングされ、
・７８，７０４が、２つの空間多重レイヤの１５７，４３２にマッピングされ、
・８１，１７６が、２つの空間多重レイヤの１６１，７６０にマッピングされ、
・８４，７６０が、２つの空間多重レイヤの１６９，５４４にマッピングされ、
・８７，９３６が、２つの空間多重レイヤの１７５，６００にマッピングされ、
・８８，８９６が、２つの空間多重レイヤの１７７，８１６にマッピングされる、請求項３１に記載の方法。
【請求項３３】
前記ダウンリンク送信が、３つの空間多重レイヤを使用し、前記ＴＢＳインデクスに基づいて前記ダウンリンク送信のための前記ＴＢＳを決定することが、１つの空間多重レイヤの値から以下の通りの３つの空間多重レイヤの値への前記ＴＢＳテーブルの前記第２の組の行の前記６つの新しいＴＢＳ値の既定のマッピングをさらに使用し、
・７６，２０８が、３つの空間多重レイヤの２３０，１０４にマッピングされ、
・７８，７０４が、３つの空間多重レイヤの２３６，１６０にマッピングされ、
・８１，１７６が、３つの空間多重レイヤの２４５，６４８にマッピングされ、
・８４，７６０が、３つの空間多重レイヤの２５４，３２８にマッピングされ、
・８７，９３６が、３つの空間多重レイヤの２６６，４４０にマッピングされ、
・８８，８９６が、３つの空間多重レイヤの２６６，４４０にマッピングされる、請求項３１に記載の方法。
【請求項３４】
前記ダウンリンク送信が、４つの空間多重レイヤを使用し、前記ＴＢＳインデクスに基づいて前記ダウンリンク送信のための前記ＴＢＳを決定することが、１つの空間多重レイヤの値から以下の通りの４つの空間多重レイヤの値への前記ＴＢＳテーブルの前記第２の組の行の前記６つの新しいＴＢＳ値の既定のマッピングをさらに使用し、
・７６，２０８が、４つの空間多重レイヤの３０５，９７６にマッピングされ、
・７８，７０４が、４つの空間多重レイヤの３１４，８８８にマッピングされ、
・８１，１７６が、４つの空間多重レイヤの３２７，０００にマッピングされ、
・８４，７６０が、４つの空間多重レイヤの３３９，１１２にマッピングされ、
・８７，９３６が、４つの空間多重レイヤの３５４，９３６にマッピングされ、
・８８，８９６が、４つの空間多重レイヤの３５７，２８０にマッピングされる、請求項３１に記載の方法。
【請求項３５】
無線アクセスノード（１６）からワイヤレスデバイス（２０）へのダウンリンク送信を送信することを可能にするセルラ通信ネットワーク（１０）の無線アクセスノード（１６）であって、
送信器（５４）と、
少なくとも１つのプロセッサ（４６）と、
前記少なくとも１つのプロセッサ（４６）によって実行可能なソフトウェア命令を含むメモリ（４８）であり、それによって、前記無線アクセスノード（１６）が、
前記無線アクセスノード（１６）から前記ワイヤレスデバイス（２０）へのダウンリンク送信のための変調および符号化方式（ＭＣＳ）を決定することであり、前記ＭＣＳが、対応するＭＣＳインデクスを有する、決定することと、
前記ＭＣＳインデクス、およびトランスポートブロックサイズ（ＴＢＳ）インデクス値とＭＣＳインデクス値との間の既定の関係に基づいて、ＴＢＳインデクスを決定することと、
第１の組の変調方式および２５６直交振幅変調（２５６ＱＡＭ）の両方をサポートするＴＢＳテーブルを使用して前記ダウンリンク送信のためにスケジューリングされた前記ＴＢＳインデクスとリソースブロックの数（ＮＲＢ）とに基づいて前記無線アクセスノード（１６）から前記ワイヤレスデバイス（２０）への前記ダウンリンク送信のためのＴＢＳを決定することであり、前記ＴＢＳテーブルが、（ａ）２５６ＱＡＭは除いて前記第１の組の変調方式をサポートする既存のＴＢＳテーブルからの第１の組の行と、（ｂ）前記ＴＢＳテーブルを用意するために前記既存のＴＢＳテーブルに加えられ、前記第１の組の行に含まれるＴＢＳ値を含む第２の組の行とを含むＴＢＳテーブルである、決定することと、
前記送信器（５４）を介して、前記ダウンリンク送信のために決定された前記ＴＢＳを使用して前記無線アクセスノード（１６）から前記ワイヤレスデバイス（２０）への前記ダウンリンク送信を送信することとを行うように動作する、メモリ（４８）と
を備える、無線アクセスノード（１６）であって、
前記ＴＢＳテーブルの前記第２の組の行が、前記既存のＴＢＳテーブルからの前記第１の組の行に含まれていないＮ個の新しいＴＢＳ値を含み、ここで、Ｎ≪Ｍであり、Ｍは前記第２の組の行のＴＢＳテーブルエントリの総数であり、
前記セルラ通信ネットワーク（１０）が、第３世代パートナーシッププロジェクト（３ＧＰＰ）ロングタームエボリューション（ＬＴＥ）ネットワークであり、前記第１の組の変調方式が、４相位相シフトキーイング（ＱＰＳＫ）、１６直交振幅変調（１６ＱＡＭ）、および６４ＱＡＭからなり、Ｎ＝８であり、８つの新しいＴＢＳ値が、７６，２０８、７８，７０４、８１，１７６、８４，７６０、８７，９３６、９０，８１６、９３，８００、および９７，８９６である、無線アクセスノード（１６）。
【請求項３６】
無線アクセスノード（１６）からワイヤレスデバイス（２０）へのダウンリンク送信を送信することを可能にするセルラ通信ネットワーク（１０）の無線アクセスノード（１６）であって、
送信器（５４）と、
少なくとも１つのプロセッサ（４６）と、
前記少なくとも１つのプロセッサ（４６）によって実行可能なソフトウェア命令を含むメモリ（４８）であり、それによって、前記無線アクセスノード（１６）が、
前記無線アクセスノード（１６）から前記ワイヤレスデバイス（２０）へのダウンリンク送信のための変調および符号化方式（ＭＣＳ）を決定することであり、前記ＭＣＳが、対応するＭＣＳインデクスを有する、決定することと、
前記ＭＣＳインデクス、およびトランスポートブロックサイズ（ＴＢＳ）インデクス値とＭＣＳインデクス値との間の既定の関係に基づいて、ＴＢＳインデクスを決定することと、
第１の組の変調方式および２５６直交振幅変調（２５６ＱＡＭ）の両方をサポートするＴＢＳテーブルを使用して前記ダウンリンク送信のためにスケジューリングされた前記ＴＢＳインデクスとリソースブロックの数（ＮＲＢ）とに基づいて前記無線アクセスノード（１６）から前記ワイヤレスデバイス（２０）への前記ダウンリンク送信のためのＴＢＳを決定することであり、前記ＴＢＳテーブルが、（ａ）２５６ＱＡＭは除いて前記第１の組の変調方式をサポートする既存のＴＢＳテーブルからの第１の組の行と、（ｂ）前記ＴＢＳテーブルを用意するために前記既存のＴＢＳテーブルに加えられ、前記第１の組の行に含まれるＴＢＳ値を含む第２の組の行とを含むＴＢＳテーブルである、決定することと、
前記送信器（５４）を介して、前記ダウンリンク送信のために決定された前記ＴＢＳを使用して前記無線アクセスノード（１６）から前記ワイヤレスデバイス（２０）への前記ダウンリンク送信を送信することとを行うように動作する、メモリ（４８）と
を備える、無線アクセスノード（１６）であって、
前記ＴＢＳテーブルの前記第２の組の行が、前記既存のＴＢＳテーブルからの前記第１の組の行に含まれていないＮ個の新しいＴＢＳ値を含み、ここで、Ｎ≪Ｍであり、Ｍは前記第２の組の行のＴＢＳテーブルエントリの総数であり、
前記ＴＢＳテーブルは、ＮＲＢ＝１００のための前記ＴＢＳテーブルの最大ＴＢＳ値がＮＲＢ＞１００での前記ＴＢＳテーブルのピークＴＢＳ値として使用されるようなものである、無線アクセスノード（１６）。
【発明の詳細な説明】
【技術分野】
【０００１】
関連出願
本出願は、２０１４年１月３０日に出願された仮特許出願第６１／９３３，３４３号、および２０１５年１月１５日に出願された米国特許出願第１４／５９７，７４３号の利益を主張し、これらの開示は全体が参照により本明細書に組み込まれる。
【０００２】
本開示は、セルラ通信ネットワークに関し、特に、セルラ通信ネットワークにおいて２５６直交振幅変調（ＱＡＭ）のために効率的なトランスポートブロックサイズ（ＴＢＳ）テーブル設計を使用することに関する。
【背景技術】
【０００３】
ロングタームエボリューション（ＬＴＥ）ワイヤレス通信技術は、ダウンリンクにおいて直交周波数分割多重（ＯＦＤＭ）を、およびアップリンクにおいて離散フーリエ変換（ＤＦＴ）拡散ＯＦＤＭを使用する。それにより、基本ＬＴＥダウンリンク物理リソースは、図１に示されるような時間−周波数グリッドと見なすことができ、ここで、各リソースエレメントは、１つのＯＦＤＭシンボルインターバルの間の１つのＯＦＤＭサブキャリアに対応する。時間ドメインにおいて、ＬＴＥダウンリンク送信は、１０ミリ秒（ｍｓ）の無線フレームへと構成され、各無線フレームは、図２に示すように、長さＴＳＵＢＦＲＡＭＥ＝１ｍｓの１０個の同じサイズのサブフレームからなる。
【０００４】
その上、ＬＴＥでのリソース割当ては、一般に、リソースブロックの観点から説明され、ここで、リソースブロックは、時間ドメインにおける１つのスロット（０．５ｍｓ）および周波数ドメインにおける１２個の連続するサブキャリアに対応する。時間方向（１．０ｍｓ）の１対の２つの隣接するリソースブロックは、リソースブロック対として知られている。リソースブロックは周波数ドメインにおいて番号を付けられ、番号はシステム帯域幅の１つの端を起点に０から始まる。
【０００５】
仮想リソースブロック（ＶＲＢ）および物理リソースブロック（ＰＲＢ）の概念が、ＬＴＥに導入された。ユーザ機器（ＵＥ）への実際のリソース割当ては、ＶＲＢ対に関してなされる。２つのタイプのリソース割当て、すなわち、局所型および分散型がある。局所型リソース割当てでは、ＶＲＢ対は、ＰＲＢ対に直接マッピングされ、したがって、２つの連続し局所化したＶＲＢが、さらに、周波数ドメインにおいて連続するＰＲＢとして配置される。一方、分散型ＶＲＢは、周波数ドメインにおいて連続するＰＲＢにマッピングされず、それによって、これらの分散型ＶＲＢを使用して送信されるデータチャネルでは周波数ダイバーシティを行う。
【０００６】
ダウンリンク送信は、動的にスケジューリングされる。具体的には、ダウンリンクサブフレームごとに、基地局は、ダウンリンク制御情報（ＤＣＩ）を送信し、ダウンリンク制御情報（ＤＣＩ）は、どのデータが現在のサブフレームで送信されているか、およびどのリソースブロックに基づいてデータが現在のダウンリンクサブフレームでそれらのＵＥに送信されているかをＵＥに示す。この制御シグナリングは、一般に、サブフレームごとに最初の１、２、３、または４ＯＦＤＭシンボルで送信され、数値ｎ＝１、２、３、または４は、制御書式インジケータ（ＣＦＩ）として知られている。受信器が認識しており、例えば制御情報のコヒーレント復調で使用される共通参照シンボルを、ダウンリンクサブフレームはさらに含む。制御としてのＣＦＩ＝３ＯＦＤＭシンボルをもつダウンリンクサブフレームが、図３に示される。ＬＴＥリリース１１以降、上述のリソースアサイメントは、拡張物理ダウンリンク制御チャネル（ＥＰＤＣＣＨ）にスケジューリングすることもできる。リリース８からリリース１０では、物理ダウンリンク制御チャネルのみ（ＰＤＣＣＨ）が利用可能である。
【０００７】
現在のＬＴＥネットワーク（すなわち、リリース１１までのＬＴＥリリース）は３つの変調方式、すなわち、４相位相シフトキーイング（ＱＰＳＫ）、１６直交振幅変調（ＱＡＭ）、および６４ＱＡＭをサポートする。しかしながら、次世代および将来世代ＬＴＥネットワークは、高次変調方式（例えば、２５６ＱＡＭ）をサポートすることを望んでいる。これらの高次変調方式のサポートでは、ＬＴＥネットワークならびにＵＥの両方の実装複雑さおよびコストが著しく増加することがある。したがって、例えば、実装の複雑さおよびコストに関して有効な方法でＬＴＥネットワークにおいて２５６ＱＡＭをサポートするシステムおよび方法への必要性がある。
【発明の概要】
【０００８】
セルラ通信ネットワークにおいて２５６直交振幅変調（ＱＡＭ）をサポートするトランスポートブロックサイズ（ＴＢＳ）テーブルの使用に関連するシステムおよび方法が開示される。特に、ワイヤレスデバイスおよびそれを動作させる方法の実施形態が開示される。いくつかの実施形態では、ワイヤレスデバイスは、無線アクセスノードによって送信されるダウンリンク制御情報（ＤＣＩ）を受信し、ここで、ＤＣＩは、無線アクセスノードからワイヤレスデバイスへのダウンリンク送信のために使用される変調および符号化方式（ＭＣＳ）を示すＭＣＳインデクスを含む。ワイヤレスデバイスは、ＭＣＳインデクス、およびＴＢＳインデクス値とＭＣＳインデクス値との間の既定の関係に基づいて、ＴＢＳインデクスを決定する。ワイヤレスデバイスは、第１の組の変調方式および２５６ＱＡＭの両方をサポートするＴＢＳテーブルを使用してダウンリンク送信のためにスケジューリングされたＴＢＳインデクスとリソースブロックの数（ＮＲＢ）とに基づいて無線アクセスノードからワイヤレスデバイスへのダウンリンク送信のためのＴＢＳを決定する。ＴＢＳテーブルは、（ａ）２５６ＱＡＭは除いて第１の組の変調方式をサポートする既存のＴＢＳテーブルからの第１の組の行と、（ｂ）ＴＢＳテーブルを用意するために既存のＴＢＳテーブルに加えられ、第１の組の行からのＴＢＳ値を実質的に再使用する第２の組の行とを含む。ワイヤレスデバイスは、ＤＣＩとダウンリンク送信のために決定されたＴＢＳとに従って無線アクセスノードからのダウンリンク送信を受信する。
【０００９】
いくつかの実施形態において、ダウンリンク送信は、Ｌ個の空間多重レイヤを使用し、ここで、Ｌ＞１であり、ワイヤレスデバイスは、１つの空間多重レイヤの値からＬ個の空間多重レイヤの値へのＴＢＳテーブルのＴＢＳ値のうちの少なくとも一部の既定のマッピングを使用して、ＴＢＳインデクスに基づいてダウンリンク送信のためのＴＢＳを決定する。
【００１０】
いくつかの実施形態において、ＴＢＳテーブルの第２の組の行は、既存のＴＢＳテーブルからの第１の組の行に含まれていないＮ個の新しいＴＢＳ値を含み、ここで、Ｎ≪Ｍであり、Ｍは第２の組の行のＴＢＳテーブルエントリの総数である。
【００１１】
いくつかの実施形態において、ダウンリンク送信は、Ｌ個の空間多重レイヤを使用し、ここで、Ｌ＞１であり、ＴＢＳインデクスに基づいてダウンリンク送信のためのＴＢＳを決定することが、１つの空間多重レイヤの値からＬ個の空間多重レイヤの値へのＴＢＳテーブルの第２の組の行のＮ個の新しいＴＢＳ値の既定のマッピングをさらに使用する。
【００１２】
いくつかの実施形態において、セルラ通信ネットワークは、第３世代パートナーシッププロジェクト（３ＧＰＰ）ロングタームエボリューション（ＬＴＥ）ネットワークであり、第１の組の変調方式は、４相位相シフトキーイング（ＱＰＳＫ）、１６ＱＡＭ、および６４ＱＡＭからなる。さらに、いくつかの実施形態において、新しいＴＢＳ値の数Ｎは８に等しく、８つの新しいＴＢＳ値は、７６，２０８、７８，７０４、８１，１７６、８４，７６０、８７，９３６、９０，８１６、９３，８００、および９７，８９６である。さらに、いくつかの実施形態において、ダウンリンク送信は、２つの空間多重レイヤを使用し、ワイヤレスデバイスは、１つの空間多重レイヤの値から以下の通りの２つの空間多重レイヤの値へのＴＢＳテーブルの第２の組の行の８つの新しいＴＢＳ値の既定のマッピングを使用して、ＴＢＳインデクスに基づいてダウンリンク送信のためのＴＢＳを決定する。
・７６，２０８が、２つの空間多重レイヤの１５２，９７６にマッピングされ、
・７８，７０４が、２つの空間多重レイヤの１５７，４３２にマッピングされ、
・８１，１７６が、２つの空間多重レイヤの１６１，７６０にマッピングされ、
・８４，７６０が、２つの空間多重レイヤの１６９，５４４にマッピングされ、
・８７，９３６が、２つの空間多重レイヤの１７５，６００にマッピングされ、
・９０，８１６が、２つの空間多重レイヤの１８１，６５６にマッピングされ、
・９３，８００が、２つの空間多重レイヤの１８７，７１２にマッピングされ、
・９７，８９６が、２つの空間多重レイヤの１９５，８１６にマッピングされる。
【００１３】
他の実施形態では、ダウンリンク送信は、３つの空間多重レイヤを使用し、ワイヤレスデバイスは、１つの空間多重レイヤの値から以下の通りの３つの空間多重レイヤの値へのＴＢＳテーブルの第２の組の行の８つの新しいＴＢＳ値の既定のマッピングを使用して、ＴＢＳインデクスに基づいてダウンリンク送信のためのＴＢＳを決定する。
・７６，２０８が、３つの空間多重レイヤの２３０，１０４にマッピングされ、
・７８，７０４が、３つの空間多重レイヤの２３６，１６０にマッピングされ、
・８１，１７６が、３つの空間多重レイヤの２４５，６４８にマッピングされ、
・８４，７６０が、３つの空間多重レイヤの２５４，３２８にマッピングされ、
・８７，９３６が、３つの空間多重レイヤの２６６，４４０にマッピングされ、
・９０，８１６が、３つの空間多重レイヤの２７５，３７６にマッピングされ、
・９３，８００が、３つの空間多重レイヤの２８４，６０８にマッピングされ、
・９７，８９６が、３つの空間多重レイヤの２９３，７３６にマッピングされる。
【００１４】
他の実施形態では、ダウンリンク送信は、４つの空間多重レイヤを使用し、ワイヤレスデバイスは、１つの空間多重レイヤの値から以下の通りの４つの空間多重レイヤの値へのＴＢＳテーブルの第２の組の行の８つの新しいＴＢＳ値の既定のマッピングを使用して、ＴＢＳインデクスに基づいてダウンリンク送信のためのＴＢＳを決定する。
・７６，２０８が、４つの空間多重レイヤの３０５，９７６にマッピングされ、
・７８，７０４が、４つの空間多重レイヤの３１４，８８８にマッピングされ、
・８１，１７６が、４つの空間多重レイヤの３２７，０００にマッピングされ、
・８４，７６０が、４つの空間多重レイヤの３３９，１１２にマッピングされ、
・８７，９３６が、４つの空間多重レイヤの３５４，９３６にマッピングされ、
・９０，８１６が、４つの空間多重レイヤの３６３，３３６にマッピングされ、
・９３，８００が、４つの空間多重レイヤの３７５，４４８にマッピングされ、
・９７，８９６が、４つの空間多重レイヤの３９１，６５６にマッピングされる。
【００１５】
いくつかの実施形態において、ＴＢＳテーブルは、ＮＲＢ＝１００のためのＴＢＳテーブルの最大ＴＢＳ値がＮＲＢ＞１００でのＴＢＳテーブルのピークＴＢＳ値として使用されるようなものである。さらに、いくつかの実施形態において、セルラ通信ネットワークは、３ＧＰＰ  ＬＴＥネットワーク、Ｎ＝５であり、５つの新しいＴＢＳ値は、７６，２０８、７８，７０４、８１，１７６、８４，７６０、および８７，９３６であり、ここで、８７，９３６は、ＴＢＳテーブルのピークＴＢＳ値である。さらに、いくつかの実施形態において、ダウンリンク送信は、２つの空間多重レイヤを使用し、ワイヤレスデバイスは、１つの空間多重レイヤの値から以下の通りの２つの空間多重レイヤの値へのＴＢＳテーブルの第２の組の行の５つの新しいＴＢＳ値の既定のマッピングを使用して、ＴＢＳインデクスに基づいてダウンリンク送信のためのＴＢＳを決定する。
・７６，２０８が、２つの空間多重レイヤの１５２，９７６にマッピングされ、
・７８，７０４が、２つの空間多重レイヤの１５７，４３２にマッピングされ、
・８１，１７６が、２つの空間多重レイヤの１６１，７６０にマッピングされ、
・８４，７６０が、２つの空間多重レイヤの１６９，５４４にマッピングされ、
・８７，９３６が、２つの空間多重レイヤの１７５，６００にマッピングされる。
【００１６】
他の実施形態では、ダウンリンク送信は、３つの空間多重レイヤを使用し、ワイヤレスデバイスは、１つの空間多重レイヤの値から以下の通りの３つの空間多重レイヤの値へのＴＢＳテーブルの第２の組の行の８つの新しいＴＢＳ値の既定のマッピングを使用して、ＴＢＳインデクスに基づいてダウンリンク送信のためのＴＢＳを決定する。
・７６，２０８が、３つの空間多重レイヤの２３０，１０４にマッピングされ、
・７８，７０４が、３つの空間多重レイヤの２３６，１６０にマッピングされ、
・８１，１７６が、３つの空間多重レイヤの２４５，６４８にマッピングされ、
・８４，７６０が、３つの空間多重レイヤの２５４，３２８にマッピングされ、
・８７，９３６が、３つの空間多重レイヤの２６６，４４０にマッピングされる。
【００１７】
他の実施形態では、ダウンリンク送信は、４つの空間多重レイヤを使用し、ワイヤレスデバイスは、１つの空間多重レイヤの値から以下の通りの４つの空間多重レイヤの値へのＴＢＳテーブルの第２の組の行の８つの新しいＴＢＳ値の既定のマッピングを使用して、ＴＢＳインデクスに基づいてダウンリンク送信のためのＴＢＳを決定する。
・７６，２０８が、４つの空間多重レイヤの３０５，９７６にマッピングされ、
・７８，７０４が、４つの空間多重レイヤの３１４，８８８にマッピングされ、
・８１，１７６が、４つの空間多重レイヤの３２７，０００にマッピングされ、
・８４，７６０が、４つの空間多重レイヤの３３９，１１２にマッピングされ、
・８７，９３６が、４つの空間多重レイヤの３５４，９３６にマッピングされる。
【００１８】
いくつかの実施形態では、ピークＴＢＳ値は８８，８９６である。さらに、いくつかの実施形態において、セルラ通信ネットワークは、３ＧＰＰ  ＬＴＥネットワーク、Ｎ＝６であり、６つの新しいＴＢＳ値は、７６，２０８、７８，７０４、８１，１７６、８４，７６０、８７，９３６、および８８，８９６である。さらに、いくつかの実施形態において、ダウンリンク送信は、２つの空間多重レイヤを使用し、ワイヤレスデバイスは、１つの空間多重レイヤの値から以下の通りの２つの空間多重レイヤの値へのＴＢＳテーブルの第２の組の行の６つの新しいＴＢＳ値の既定のマッピングを使用して、ＴＢＳインデクスに基づいてダウンリンク送信のためのＴＢＳを決定する。
・７６，２０８が、２つの空間多重レイヤの１５２，９７６にマッピングされ、
・７８，７０４が、２つの空間多重レイヤの１５７，４３２にマッピングされ、
・８１，１７６が、２つの空間多重レイヤの１６１，７６０にマッピングされ、
・８４，７６０が、２つの空間多重レイヤの１６９，５４４にマッピングされ、
・８７，９３６が、２つの空間多重レイヤの１７５，６００にマッピングされ、
・８８，８９６が、２つの空間多重レイヤの１７７，８１６にマッピングされる。
【００１９】
他の実施形態において、ダウンリンク送信は、３つの空間多重レイヤを使用し、ワイヤレスデバイスは、１つの空間多重レイヤの値から以下の通りの３つの空間多重レイヤの値へのＴＢＳテーブルの第２の組の行の６つの新しいＴＢＳ値の既定のマッピングを使用して、ＴＢＳインデクスに基づいてダウンリンク送信のためのＴＢＳを決定する。
・７６，２０８が、３つの空間多重レイヤの２３０，１０４にマッピングされ、
・７８，７０４が、３つの空間多重レイヤの２３６，１６０にマッピングされ、
・８１，１７６が、３つの空間多重レイヤの２４５，６４８にマッピングされ、
・８４，７６０が、３つの空間多重レイヤの２５４，３２８にマッピングされ、
・８７，９３６が、３つの空間多重レイヤの２６６，４４０にマッピングされ、
・８８，８９６が、３つの空間多重レイヤの２６６，４４０にマッピングされる。
【００２０】
他の実施形態において、ダウンリンク送信は、４つの空間多重レイヤを使用し、ワイヤレスデバイスは、１つの空間多重レイヤの値から以下の通りの４つの空間多重レイヤの値へのＴＢＳテーブルの第２の組の行の６つの新しいＴＢＳ値の既定のマッピングを使用して、ＴＢＳインデクスに基づいてダウンリンク送信のためのＴＢＳを決定する。
・７６，２０８が、４つの空間多重レイヤの３０５，９７６にマッピングされ、
・７８，７０４が、４つの空間多重レイヤの３１４，８８８にマッピングされ、
・８１，１７６が、４つの空間多重レイヤの３２７，０００にマッピングされ、
・８４，７６０が、４つの空間多重レイヤの３３９，１１２にマッピングされ、
・８７，９３６が、４つの空間多重レイヤの３５４，９３６にマッピングされ、
・８８，８９６が、４つの空間多重レイヤの３５７，２８０にマッピングされる。
【００２１】
ワイヤレスデバイスを動作させる方法の実施形態も開示される。
【００２２】
無線アクセスノードおよびそれを動作させる方法の実施形態も開示される。いくつかの実施形態では、セルラ通信ネットワークの無線アクセスノードは、無線アクセスノードからワイヤレスデバイスへのダウンリンク送信のためのＭＣＳを決定するように動作し、ここで、ＭＣＳは、対応するＭＣＳインデクスを有する。無線アクセスノードは、ＭＣＳインデクス、およびＴＢＳインデクス値とＭＣＳインデクス値との間の既定の関係に基づいて、ＴＢＳインデクスを決定し、第１の組の変調方式および２５６ＱＡＭの両方をサポートするＴＢＳテーブルを使用してダウンリンク送信のためにスケジューリングされたＴＢＳインデクスとリソースブロックの数（ＮＲＢ）とに基づいて無線アクセスノードからワイヤレスデバイスへのダウンリンク送信のためのＴＢＳを決定するようにさらに動作する。ＴＢＳテーブルは、（ａ）２５６ＱＡＭは除いて第１の組の変調方式をサポートする既存のＴＢＳテーブルからの第１の組の行と、（ｂ）ＴＢＳテーブルを用意するために既存のＴＢＳテーブルに加えられ、第１の組の行からのＴＢＳ値を実質的に再使用する第２の組の行とを含む。無線アクセスノードは、ダウンリンク制御情報のために決定されたＴＢＳを使用して無線アクセスノードからワイヤレスデバイスへのダウンリンク送信を送信するようにさらに動作する。
【００２３】
当業者は、本開示の範囲を正しく理解し、添付図面に関連して実施形態の以下の詳細な説明を読んだ後本開示の追加の態様を了解するであろう。
【００２４】
本明細書の一部に組み込まれ、本明細書の一部を形成する添付図面は、本開示のいくつかの態様を示し、説明と一緒に本開示の原理を説明するのに役立つ。
【図面の簡単な説明】
【００２５】
【図１】基本の第３世代パートナーシッププロジェクト（３ＧＰＰ）ロングタームエボリューション（ＬＴＥ）ダウンリンク物理リソースを示す図である。
【図２】３ＧＰＰ  ＬＴＥダウンリンク無線フレームを示す図である。
【図３】３ＧＰＰ  ＬＴＥダウンリンクサブフレームを示す図である。
【図４】本開示のいくつかの実施形態によるセルラ通信ネットワークを示す図である。
【図５】従来の３ＧＰＰ  ＬＴＥリリース１１チャネル品質情報（ＣＱＩ）テーブルを示す図である。
【図６】従来の３ＧＰＰ  ＬＴＥリリース１１変調および符号化方式（ＭＣＳ）テーブルを示す図である。
【図７Ａ】従来の３ＧＰＰ  ＬＴＥリリース１１トランスポートブロックサイズ（ＴＢＳ）テーブルを示す図である。
【図７Ｂ】従来の３ＧＰＰ  ＬＴＥリリース１１トランスポートブロックサイズ（ＴＢＳ）テーブルを示す図である。
【図７Ｃ】従来の３ＧＰＰ  ＬＴＥリリース１１トランスポートブロックサイズ（ＴＢＳ）テーブルを示す図である。
【図７Ｄ】従来の３ＧＰＰ  ＬＴＥリリース１１トランスポートブロックサイズ（ＴＢＳ）テーブルを示す図である。
【図７Ｅ】従来の３ＧＰＰ  ＬＴＥリリース１１トランスポートブロックサイズ（ＴＢＳ）テーブルを示す図である。
【図７Ｆ】従来の３ＧＰＰ  ＬＴＥリリース１１トランスポートブロックサイズ（ＴＢＳ）テーブルを示す図である。
【図７Ｇ】従来の３ＧＰＰ  ＬＴＥリリース１１トランスポートブロックサイズ（ＴＢＳ）テーブルを示す図である。
【図７Ｈ】従来の３ＧＰＰ  ＬＴＥリリース１１トランスポートブロックサイズ（ＴＢＳ）テーブルを示す図である。
【図７Ｉ】従来の３ＧＰＰ  ＬＴＥリリース１１トランスポートブロックサイズ（ＴＢＳ）テーブルを示す図である。
【図７Ｊ】従来の３ＧＰＰ  ＬＴＥリリース１１トランスポートブロックサイズ（ＴＢＳ）テーブルを示す図である。
【図７Ｋ】従来の３ＧＰＰ  ＬＴＥリリース１１トランスポートブロックサイズ（ＴＢＳ）テーブルを示す図である。
【図８】図７Ａから図７Ｋの従来のＴＢＳテーブルを選択するために利用される特別な効率を示す図である。
【図９】図７Ａから図７Ｋの従来のＴＢＳテーブルのＴＢＳ値での１レイヤから２レイヤへのマッピングを示す図である。
【図１０】図７Ａから図７Ｋの従来のＴＢＳのテーブルのＴＢＳ値での１レイヤから３レイヤへのマッピングを示す図である。
【図１１】図７Ａから図７Ｋの従来のＴＢＳのテーブルのＴＢＳ値での１レイヤから４レイヤへのマッピングを示す図である。
【図１２】６４直交振幅変調（ＱＡＭ）について図７Ａから図７Ｋの従来のＴＢＳテーブルのＴＢＳの値によって達成された実際の符号化率の偏差を示す図である。
【図１３】１６ＱＡＭについて図７Ａから図７Ｋの従来のＴＢＳテーブルのＴＢＳの値によって達成された実際の符号化率の偏差を示す図である。
【図１４】４相位相シフトキーイングについて図７Ａから図７Ｋの従来のＴＢＳテーブルのＴＢＳの値によって達成された実際の符号化率の偏差を示す図である。
【図１５】２５６ＱＡＭを３ＧＰＰ  ＬＴＥに導入する場合の最大ピークデータレートの改善を示す図である。
【図１６】本開示のいくつかの実施形態による、２５６ＱＡＭをサポートする新しいＴＢＳテーブルを利用するための、図４のセルラ通信ネットワークにおける基地局およびワイヤレスデバイスの動作を示す図である。
【図１７】本開示のいくつかの実施形態による、２５６ＱＡＭをサポートする新しいＴＢＳテーブルを利用するためのワイヤレスデバイスの動作を示す流れ図である。
【図１８Ａ】本開示のいくつかの実施形態による、２５６ＱＡＭをサポートするＴＢＳテーブルを提供するために既存のＴＢＳテーブルに加えられる新しい組の行を示す図である。
【図１８Ｂ】本開示のいくつかの実施形態による、２５６ＱＡＭをサポートするＴＢＳテーブルを提供するために既存のＴＢＳテーブルに加えられる新しい組の行を示す図である。
【図１８Ｃ】本開示のいくつかの実施形態による、２５６ＱＡＭをサポートするＴＢＳテーブルを提供するために既存のＴＢＳテーブルに加えられる新しい組の行を示す図である。
【図１８Ｄ】本開示のいくつかの実施形態による、２５６ＱＡＭをサポートするＴＢＳテーブルを提供するために既存のＴＢＳテーブルに加えられる新しい組の行を示す図である。
【図１９】本開示の１つの例示の実施形態による、図１８Ａから図１８Ｄに示された新しい組の行のＴＢＳ値によって達成された実際の符号化率の偏差を示す図である。
【図２０】本開示のいくつかの実施形態による、図１８Ａから図１８Ｄの新しいＴＢＳテーブルに加えられた新しいＴＢＳ値での１レイヤから２レイヤへのマッピングを示す図である。
【図２１】本開示のいくつかの実施形態による、図１８Ａから図１８Ｄの新しいＴＢＳテーブルに加えられた新しいＴＢＳ値での１レイヤから３レイヤへのマッピングを示す図である。
【図２２】本開示のいくつかの実施形態による、図１８Ａから図１８Ｄの新しいＴＢＳテーブルに加えられた新しいＴＢＳ値での１レイヤから４レイヤへのマッピングを示す図である。
【図２３】本開示のいくつかの他の実施形態による、２５６ＱＡＭをサポートするＴＢＳテーブルを提供するために既存のＴＢＳテーブルに加えられる新しい組の行を示す図である。
【図２４】本開示のいくつかの実施形態による、図２３の新しいＴＢＳテーブルに加えられた新しいＴＢＳ値での１レイヤから２レイヤへのマッピングを示す図である。
【図２５】本開示のいくつかの実施形態による、図２３の新しいＴＢＳテーブルに加えられた新しいＴＢＳ値での１レイヤから３レイヤへのマッピングを示す図である。
【図２６】本開示のいくつかの実施形態による、図２３の新しいＴＢＳテーブルに加えられた新しいＴＢＳ値での１レイヤから４レイヤへのマッピングを示す図である。
【図２７】本開示のいくつかの他の実施形態による、２５６ＱＡＭをサポートするＴＢＳテーブルを提供するために既存のＴＢＳテーブルに加えられる新しい組の行を示す図である。
【図２８】本開示のいくつかの実施形態による、図２７の新しいＴＢＳテーブルに加えられた新しいＴＢＳ値での１レイヤから２レイヤへのマッピングを示す図である。
【図２９】本開示のいくつかの実施形態による、図２７の新しいＴＢＳテーブルに加えられた新しいＴＢＳ値での１レイヤから３レイヤへのマッピングを示す図である。
【図３０】本開示のいくつかの実施形態による、図２７の新しいＴＢＳテーブルに加えられた新しいＴＢＳ値での１レイヤから４レイヤへのマッピングを示す図である。
【図３１】本開示のいくつかの実施形態による、２５６ＱＡＭをサポートする新しいＴＢＳテーブルを利用するための基地局の動作を示す流れ図である。
【図３２】本開示のいくつかの実施形態によるワイヤレスデバイスのブロック図である。
【図３３】本開示のいくつかの他の実施形態によるワイヤレスデバイスのブロック図である。
【図３４】本開示のいくつかの実施形態による基地局のブロック図である。
【図３５】本開示のいくつかの他の実施形態による基地局のブロック図である。
【発明を実施するための形態】
【００２６】
以下に記載する実施形態は、当業者が実施形態を実践できるようにするための情報を表し、実施形態を実践する最良の形態を示す。添付図面に照らして以下の説明を読むとき、当業者は、本開示の概念を理解し、本明細書で特には扱われていないこれらの概念の応用を認識するであろう。これらの概念および応用は、本開示および添付の特許請求の範囲の範囲内にあることを理解すべきである。
【００２７】
セルラ通信ネットワークにおける、特に、第３世代パートナーシッププロジェクト（３ＧＰＰ）ロングタームエボリューション（ＬＴＥ）ネットワークにおける２５６直交振幅変調（ＱＡＭ）のサポートに関連するシステムおよび方法が開示される。より詳細には、２５６ＱＡＭをサポートする効率的なトランスポートブロックサイズ（ＴＢＳ）テーブル設計を使用するためのシステムおよび方法が開示される。この点に関して、図４は、本開示のいくつかの実施形態によるセルラ通信ネットワーク１０を示す。本明細書で説明する例では、セルラ通信ネットワーク１０は、３ＧＰＰ  ＬＴＥネットワークであり、それゆえ、３ＧＰＰという用語が時には使用される。しかしながら、本明細書で説明される概念は３ＧＰＰ  ＬＴＥに限定されないことに留意されたい。図示のように、セルラ通信ネットワーク１０は、無線アクセスネットワーク（ＲＡＮ）１２とコアネットワーク１４とを含む。３ＧＰＰでは、ＲＡＮ１２は、拡張またはエボルブドユニバーサル地上無線アクセスネットワーク（Ｅ−ＵＴＲＡＮ）と呼ばれ、コアネットワーク１４は拡張またはエボルブドパケットコア（ＥＰＣ）と呼ばれる。総合的に、Ｅ−ＵＴＲＡＮおよびＥＰＣは、拡張またはエボルブドパケットシステム（ＥＰＳ）を形成する。ＲＡＮ１２は、対応するセル１８−１からセル１８−３をサーブするまたは制御するいくつかの基地局１６−１から基地局１６−３を含む。基地局１６−１から基地局１６−３およびセル１８−１からセル１８−３は、本明細書ではまとめて基地局１６およびセル１８と呼ばれ、個別に基地局１６およびセル１８と呼ばれる。３ＧＰＰでは、基地局１６は、拡張またはエボルブドノードＢ（ｅＮＢ）（例えば、マクロｅＮＢ、低パワーｅＮＢ（例えば、ホームｅＮＢ））と呼ばれる。基地局１６が本明細書で論じられるが、本明細書で開示される概念は、他のタイプの無線アクセスノード（例えば、リモート無線ヘッド（ＲＲＨ））にも適用可能であることに留意されたい。ワイヤレスデバイス２０などのワイヤレスデバイス（例えば、ユーザ機器（ＵＥ））は、基地局１６への信号を送信し、基地局１６からの信号を受信する。
【００２８】
上述で論じたように、ＬＴＥリリース１１までのＬＴＥリリースは、４相位相シフトキーイング（ＱＰＳＫ）、１６ＱＡＭ、および６４ＱＡＭのみをサポートする。以下で論じるように、基地局１６−１およびワイヤレスデバイス２０（一例として）は、ＲＡＮ１２からワイヤレスデバイス２０へのダウンリンク送信を可能にするために２５６ＱＡＭをサポートする新しいＴＢＳテーブルを利用する。この新しいＴＢＳテーブルは、第１の組の変調方式（例えば、ＱＰＳＫ、１６ＱＡＭ、および６４ＱＡＭ）および２５６ＱＡＭの両方をサポートする。ＴＢＳテーブルは、（ａ）２５６ＱＡＭは除いて第１の組の変調方式をサポートする既存のＴＢＳテーブル（例えば、３ＧＰＰ  ＬＴＥリリース１１．５に規定されたＴＢＳテーブル）からの第１の組の行と、（ｂ）ＴＢＳテーブルを用意するために既存のテーブルに加えられ、第１の組の行からのＴＢＳ値を実質的に再使用する第２の組の行と、を含む。既存のＴＢＳテーブルによる第１の組の行からのＴＢＳ値を実質的に再使用することによって、ＴＢＳテーブルを、したがって、２５６ＱＡＭを実装する複雑さおよびコストが最小にされる。
【００２９】
新しいＴＢＳテーブルの実施形態をさらに説明する前に、リンク適応を論じることが有用である。フェージングチャネル状態への高速リンク適応は、システムスループット能力ならびにユーザ体感およびサービス品質を向上させるために最新のワイヤレス通信で採用される。高速リンク適応の働きにとって非常に重要なことは、受信器から送信器にフィードバックされるチャネル状態の適時更新である。フィードバックは、信号対雑音比（ＳＮＲ）、信号対干渉および雑音比（ＳＩＮＲ）、受信信号レベル（パワーまたは強度）、サポート可能なデータレート、変調および符号化レートのサポート可能な組合せ、およびサポート可能なスループットなどのいくつかの関連する形態を取ることができる。情報は、広帯域符号分割多元接続（Ｗ−ＣＤＭＡ）におけるような全体周波数帯全体、またはＬＴＥシステムなどの直交周波数分割多重（ＯＦＤＭ）に基づくシステムによって可能にされるような周波数帯の特定の一部分に関係することもできる。チャネル品質インジケータ（ＣＱＩ）という総称は、本明細書では、そのようなフィードバックメッセージのうちのいずれかを指すために使用される。
【００３０】
一例として図４のセルラ通信ネットワーク１０を使用して、およびセルラ通信ネットワーク１０がＬＴＥネットワークである場合、ダウンリンクデータ動作において、ＣＱＩメッセージは、ワイヤレスデバイス２０（モバイルデバイスとすることができる）から基地局１６にフィードバックされて、無線リソース割当ての決定に関して基地局１６を支援する。フィードバック情報は、多数のワイヤレスデバイス２０の間の送信スケジューリングを決定して、好適な送信方式（作動されるべき送信アンテナの数など）を選択すること、適切な量の帯域幅を割り当てること、およびダウンリンク送信を受信するために対象とするワイヤレスデバイス２０のためのサポート可能な変調および符号化レートを形成すること等のために使用することができる。アップリンクデータ動作において、基地局１６は、ワイヤレスデバイス２０によって送信された復調基準シンボルまたはサウンディング基準シンボルからチャネル品質を評価することができる。
【００３１】
ＬＴＥリリース１１ネットワークのＣＱＩ値の従来の範囲を提供するＣＱＩテーブルが、図５に示される。とりわけ、図５は、３ＧＰＰ  ＴＳ  ３６．２１３  Ｖ１１．５．０のテーブル７．２．３−１から実質的に転載されている。図５のＣＱＩテーブルは、具体的には、広帯域ワイヤレス通信チャネルに関して変調および符号化方式（ＭＣＳ）適応をサポートするように設計されている。低次変調から高次変調への移行点は、大規模なリンク性能評価により確認されている。それゆえに、異なる変調の間のこれらの特定の移行点は、最適なシステム動作に指針を与える。
【００３２】
例えば、ワイヤレスデバイス２０からのＣＱＩレポートに基づいて、基地局１６−１は、物理ダウンリンク共有チャネル（ＰＤＳＣＨ）でデータを送信するために最良のＭＣＳを選ぶことができる。ＭＣＳ情報は、ダウンリンク制御情報（ＤＣＩ）に含まれる５ビットＭＣＳインデクス（ＩＭＣＳ）としてワイヤレスデバイス２０に伝えられる。図６に示すように、ＭＣＳインデクス（ＩＭＣＳ）は、ＭＣＳインデクス（ＩＭＣＳ）の様々な値と、対応する変調（Ｑｍ）およびＴＢＳインデクス（ＩＴＢＳ）値との間の事前定義された関係を介して変調（Ｑｍ）およびＴＢＳインデクス（ＩＴＢＳ）の両方をワイヤレスデバイス２０にシグナリングする。ワイヤレスデバイス２０へのＰＤＳＣＨ送信のための割り当てられたリソースブロックの総数（ＮＲＢ）に関連して、ＴＢＳインデクス（ＩＴＢＳ）は、ＰＤＳＣＨ送信で使用される正確なＴＢＳをさらに決定する。とりわけ、最後の３つのＭＣＳインデクス値（２９〜３１）は、図６に「予約済み」として示され、ハイブリッド自動再送要求（ＨＡＲＱ）再送信で利用され、したがって、ＴＢＳは、元の送信と同じままである。
【００３３】
従来のＬＴＥネットワーク（すなわち、リリース１１）のＴＢＳインデクス値およびＮＲＢ値の様々な組合せでの特定のＴＢＳが、３ＧＰＰ  ＴＳ  ３６．２１３  Ｖ１１．５．０で規定された大きい２７×１１０ＴＢＳテーブルに列記されている。具体的には、この従来のＴＢＳテーブルは、３ＧＰＰ  ＴＳ  ３６．２１３  Ｖ１１．５．０のテーブル７．１．７．２．１−１である。便宜上、この従来のＴＢＳテーブルが、図７Ａから図７Ｋに転載されている。従来のＴＢＳテーブルに含まれているＴＢＳは、ＣＱＩレポートと一致するスペクトル効率を達成するように設計されている。より具体的には、従来のＴＢＳテーブルのＴＢＳは、ＰＤＳＣＨのために利用可能なＯＦＤＭシンボルの実際の数が１１である場合、図８に示すスペクトル効率を達成するように選択されている。
【００３４】
図７Ａから図７Ｋの従来のＴＢＳテーブルにおいて、２７×１１０ＴＢＳテーブルは、１つの空間レイヤ（空間多重レイヤまたは送信レイヤと呼ばれることもある）に対するものであり、１７８個の独自のＴＢＳ値で占められる。多数の空間レイヤをサポートするために、５１個の追加の独自のＴＢＳ値が、３ＧＰＰ  ＴＳ  ３６．２１３  Ｖ１１．５．０のテーブル７．１．７．２．２−１、テーブル７．１．７．２．４−１、およびテーブル７．１．７．２．５−１に与えられている１レイヤから２レイヤへの、１レイヤから３レイヤへの、および１レイヤから４レイヤへのＴＢＳ変換のために規定され、これらのテーブルは、本明細書において、それぞれ、図９、図１０、および図１１として転載されている。したがって、合計で、３ＧＰＰ  ＴＳ  ３６．２１３  Ｖ１１．５（またはより一般的にはＬＴＥリリース１１）に規定された２２９個の独自のＴＢＳ値がある。
【００３５】
１レイヤＴＢＳテーブル（すなわち、図７Ａから図７Ｋ）において可能性として２７×１１０＝２９７０個のＴＢＳ値からわずか１７８個のＴＢＳ値への減少が、実際の符号化率が±２％だけターゲット符号化率から外れるのを許容することによって達成される。これが、例えば、それぞれ、６４ＱＡＭ  ＭＣＳ（１７〜２７）に対して図１２に、１６ＱＡＭ  ＭＣＳ（１０〜１６）に対して図１３に、およびＱＰＳＫ  ＭＣＳ（０〜９）に対して図１４示される。
【００３６】
上述で論じたように、リリース１１までの現在のＬＴＥシステムにおいて、ダウンリンクおよびアップリンクの両方の変調方式の組は、それぞれ、変調シンボル当たり２、４、および６ビットに対応するＱＰＳＫ、１６ＱＡＭ、および６４ＱＡＭを含む。ＬＴＥエボリューションにおいて、特に、高いＳＩＮＲによるシナリオでは、例えば、ワイヤレスデバイス２０がサービング基地局１６の近くにあるスモールセル環境では、所与の送信帯域幅を用いてより高いデータレートを提供する直接の手段は、変調シンボル当たりより多くのビットの情報を搬送できるようにする高次変調の使用である。例えば、２５６ＱＡＭの導入により、変調シンボル当たり８ビットを送信することができ、それは、図１５に示すように３３％だけピークデータレート最大値を改善することができる。２５６ＱＡＭは、いくつかのシナリオにおいてＳＩＮＲが十分に高い場合にのみ利得を与えることができることにも留意されたい。実際には、２５６ＱＡＭの性能は、送信器エラーベクタマグニチュード（ＥＶＭ）と受信器障害とに非常に敏感である。３ＧＰＰにおいて、２５６ＱＡＭがリリース１２で標準化されることが合意されている。２５６ＱＡＭのサポートは、ＣＱＩ／ＭＣＳ／ＴＢＳテーブル設計およびＵＥカテゴリ取り扱いを含むＬＴＥ標準影響力を有する。
【００３７】
したがって、次のおよび将来のＬＴＥリリース（例えば、リリース１２、さらにそれ以上）において２５６ＱＡＭを実施するために、基地局１６およびワイヤレスデバイス２０は、２５６ＱＡＭためのより高いＳＩＮＲ領域を扱うために新しいエントリを含む新しいＣＱＩ／ＭＣＳ／ＴＢＳテーブルをサポートしなければならない。ＴＢＳテーブル設計に関する限りでは、１つの解決策は、ＴＢＳがＭＣＳテーブルのスペクトル効率に一致するように、すなわち、ターゲット符号化率および変調次数に一致するように、新しいＭＣＳテーブル設計に基づいて新しいＴＢＳ行を加えることである。この解決策は、いくつかの新しいＴＢＳを導入することに起因して、ＬＴＥ標準に大きい影響をもたらすことがある。その結果、基地局１６およびワイヤレスデバイス２０の両方は、新しいＴＢＳを有する新しいＴＢＳテーブルを実装する必要があり、それは、実装複雑さおよびコストを増加させることになる。それゆえに、この解決策は、必ずしも望ましいとは限らないことがある。一般に、ＬＴＥ標準への影響を最小にし、それゆえに、例えば実装複雑さおよびコストに関して、基地局１６およびワイヤレスデバイス２０への影響を最小にしながら、新しいＣＱＩ／ＭＣＳ／ＴＢＳテーブルが２５６ＱＡＭをサポートすることは設計目標にとって有用となり得る。
【００３８】
本明細書で説明する実施形態は、ＬＴＥシステムにおいて、ＴＢＳテーブル設計に関して、２５６ＱＡＭを導入するための費用効果的な方法を提供する。例示的な新しいＴＢＳテーブルにおいて、ＴＢＳテーブルは、リリース１１  ＴＢＳテーブル（既存のＴＢＳテーブル）の行と同じである第１の組の行と、２５６ＱＡＭサポートを可能にする第２の組の行とを含む。第２の組の行は、リリース１１テーブルによる第１の組の行からのＴＢＳ値を実質的に再使用する。いくつかの実施形態では、数Ｎの新しいＴＢＳ値のみが、リリース１１の２２９個のＴＢＳ値に加えられる。いくつかの実施形態では、新しいＴＢＳ値の数Ｎは、新しいＴＢＳテーブルエントリの総数よりも非常に少ない。このようにして、新しいＴＢＳテーブルは、効率的な設計を使用し、ＬＴＥ標準影響力を最小にし、それゆえに、基地局１６およびワイヤレスデバイス２０の実装複雑さおよびコストを最小にして、２５６ＱＡＭをサポートする。
【００３９】
新しいＴＢＳテーブルの実施形態を説明する前に、例えば基地局１６−１およびワイヤレスデバイス２０による新しいＴＢＳテーブルの使用を説明することが有用である。図１６に示すように、基地局１６−１からワイヤレスデバイス２０へのダウンリンク送信のための高速リンク適応を可能にするために、ワイヤレスデバイス２０は、ＣＱＩを発生する（ステップ１００）。ワイヤレスデバイス２０は、任意の好適な技法を使用してＣＱＩを発生する。次に、ワイヤレスデバイス２０は、ＣＱＩを基地局１６−１に送る（ステップ１０２）。次に、基地局１６−１は、任意の好適なＭＣＳ選択技法を使用して、ＣＱＩに基づいて、ワイヤレスデバイス２０へのＰＤＳＣＨ送信のためのＭＣＳを、したがって、ＭＣＳインデクス（ＩＭＣＳ）を選択する（ステップ１０４）。
【００４０】
とりわけ、ひとたびＭＣＳが選択されると、新しいＴＢＳテーブルにおける適切なＴＢＳのＴＢＳインデクス（ＩＴＢＳ）は、新しいＴＢＳテーブルでのＭＣＳ（および具体的にはＭＣＳインデクス（ＩＭＣＳ））とＴＢＳインデクス（ＩＴＢＳ）との間の事前定義された関係から（例えば、ＭＣＳテーブルから）認識される。新しいＭＣＳテーブルの１つの例が、以下に提供される。しかしながら、これは単なる１つの例である。新しいＭＣＳテーブルの一例が、図５に示される。より低いＱＰＳＫ領域において、ＭＣＳ０、３、６、および９は、予約され、２デシベル（ｄＢ）サンプリング間隔と等価である。現在のＭＣＳ９〜２６は変わらない。ＭＣＳ２７は、２５６ＱＡＭとなるように修正され、２５６ＱＡＭの追加の７つのエントリが加えられ、そのうちの６つの新しいエントリは、ＭＣＳテーブルに６つの新しいＴＢＳインデクス２７〜３２を含む。新しいＴＢＳインデクスは、６つの新しいＴＢＳの行に対応し、新しいＴＢＳ値（すべての帯域幅にわたる）は、現在のＴＢＳテーブルに付けることを必要とされる。新しいＭＣＳテーブルは、さらに、再送信のための３つの予約エントリを有する。導入された２５６ＱＡＭを用いて、再送信手順は、４つの変調方式のうちの１つを使用することができる。１つの例示的なオフセット機構が、テーブルに示される。インデクス２９は、再送信が元の送信のすぐ上の変調を使用すべきであることを示している。例えば、ＱＰＳＫが元の送信で使用されている場合、１６ＱＡＭが使用されるべきである。インデクス３０は、再送信が元の送信と同じ変調方式を使用すべきであることを示している。インデクス３１は、再送信が元の送信のすぐ下の変調方式を使用すべきであることを示している。例えば、１６ＱＡＭが元の送信で使用されている場合、ＱＰＳＫが使用されるべきである。
0006339211.tif 000002
ＰＤＳＣＨ送信のために割り当てられた／スケジューリングされた選択済みＭＣＳならびにリソースブロックの数に対応するＴＢＳインデクス（ＩＴＢＳ）を使用して、ＰＤＳＣＨ送信のための適切なＴＢＳのサイズが、新しいＴＢＳテーブルから得られる。
【００４１】
次に、基地局１６−１は、ＤＣＩを含むダウンリンクを物理ダウンリンク制御チャネル（ＰＤＣＣＨ）または拡張ＰＤＣＣＨ（ＥＰＤＣＣＨ）で、およびワイヤレスデバイス２０向けの対応するダウンリンク送信をＰＤＳＣＨで送信する（ステップ１０６）。ワイヤレスデバイス２０は、ＤＣＩを受信し、ＤＣＩに含まれるＭＣＳインデクス（ＩＭＣＳ）を使用して、適切なＴＢＳインデクス（ＩＴＢＳ）を決定する（ステップ１０８）。ワイヤレスデバイス２０は、ＰＤＳＣＨ送信のために割り当てられた／スケジューリングされたＭＣＳインデクス（ＩＭＣＳ）とリソースブロックの数（ＮＲＢ）とから決定されたＴＢＳインデクス（ＩＴＢＳ）を使用して、ＰＤＳＣＨ送信のためのＴＢＳを新しいＴＢＳテーブルから決定する（ステップ１１０）。最後に、ワイヤレスデバイス２０は、決定されたＴＢＳに従ってＤＣＩによってスケジューリングされたようにダウンリンクでＰＤＳＣＨ送信を受信する（ステップ１１２）。
【００４２】
図１７は、本開示のいくつかの実施形態による、ワイヤレスデバイス２０の動作をより詳細に示す流れ図である。このプロセスは、図１６のステップ１０６からステップ１１２に対応する。図示のように、ワイヤレスデバイス２０は、ワイヤレスデバイス２０への対応するＰＤＳＣＨ送信のための、ＭＣＳインデクス（ＩＭＣＳ）を含むＤＣＩを受信する（ステップ２００）。ワイヤレスデバイス２０は、ＭＣＳインデクス（ＩＭＣＳ）、およびＴＢＳインデクス（ＩＴＢＳ）値とＭＣＳインデクス（ＩＭＣＳ）値との間の既定の関係（例えば、既定のＭＣＳテーブルにおける）に基づいて、ＴＢＳインデクス（ＩＴＢＳ）を決定する（ステップ２０２）。次に、ワイヤレスデバイス２０は、第１の組の変調方式（例えば、ＱＰＳＫ、１６ＱＡＭ、および６４ＱＡＭ）および２５６ＱＡＭの両方をサポートする新しいＴＢＳテーブルを使用して、ＴＢＳインデクス（ＩＴＢＳ）およびリソースブロックの数（ＮＲＢ）に基づいて、ＰＤＳＣＨ送信のためのＴＢＳを決定する（ステップ２０４）。新しいＴＢＳテーブルは、（ａ）２５６ＱＡＭは除いて第１の組の変調方式をサポートする既存のＴＢＳテーブル（例えば、ＬＴＥリリース１１のためのＴＢＳテーブル）からの第１の組の行と、（ｂ）新しいＴＢＳテーブルを用意するために既存のＴＢＳテーブルに加えられ、既存のＴＢＳテーブルによる第１の組の行からのＴＢＳ値を実質的に再使用する第２の組の行とを含む。いくつかの実施形態において、空間多重が、ＰＤＳＣＨ送信（例えば、２つ以上の空間レイヤ）で使用される場合、ＰＤＳＣＨ送信のためのＴＢＳは、１つの空間レイヤの適切なＴＢＳ値からＬ個の空間レイヤのＴＢＳ値への規定されたマッピングを使用してさらに決定され、ここで、ＬはＰＤＳＣＨ送信で使用される空間レイヤの数であり、Ｌ＞１である。次に、ワイヤレスデバイス２０は、ＤＣＩと決定されたＴＢＳとに従ってダウンリンク送信を受信する（ステップ２０６）。
【００４３】
新しいＴＢＳテーブルは、第１の組の行からのＴＢＳ値を実質的に再使用することによる効率的な設計を有し、ここで、第１の組の行は既存のＴＢＳテーブルの行である。これによる２つの例示的な利点は次の通りである。既存のＴＢＳ値の再使用は、ＬＴＥ標準影響力および実装負担を最小にし、ほんの少しの新しいＴＢＳ値が、２５６ＱＡＭをサポートするために新しいＴＢＳテーブルにおいて既存の２２９個のＴＢＳ値に加えられる。これにより、ＴＢＳテーブルは１９ビットの整数の代わりに８ビットのインデクスで記憶できるようになり、それは記憶要求量を少なくとも半分だけ減少させる。
【００４４】
いくつかの実施形態では、２５６ＱＡＭをサポートするために、１つの例によれば、ＴＢＳの６個の追加の行が１つの空間レイヤに対して既存の２７×１１０ＴＢＳテーブルに加えられる。対応するＭＣＳのターゲット符号化率から２％までの偏差を許容することによって、既存の２７×１１０ＴＢＳテーブルに加えられる第２の組の行（６行×１１０エントリ／行）は、いかなる新しいＴＢＳ値も導入することなく設計することができる。そのような設計の１つの例が図１８Ａから図１８Ｄに示される。図１８Ａから図１８Ｄは、新しいＴＢＳテーブルの行２７から行３２（すなわち、第２の組の行）のみを示し、一方、新しいＴＢＳテーブルの行０から行２６（すなわち、第１の組の行）は、図７Ａから図７Ｋに示されているＬＴＥリリース１１  ＴＢＳテーブルの行と同じであることに留意されたい。図１８Ａから図１８Ｄの例は単なる１つの例であることに留意されたい。本明細書で説明する設計原理に従う他の例を代替として使用することができる。
【００４５】
とりわけ、図１８Ａから図１８Ｄの実施形態において、新しいＴＢＳテーブルの行２７から行３２は、既存のＬＴＥリリース１１  ＴＢＳテーブルからのＴＢＳ値を実質的に再使用している。特に、８つの新しいＴＢＳ値のみが存在し、ここで、８つの新しいＴＢＳ値は、７６，２０８、７８，７０４、８１，１７６、８４，７６０、８７，９３６、９０，８１６、９３，８００、および９７，８９６である。しかしながら、これらの新しい８つの値は単なる１つの例であることに留意されたい。より一般的には、新しいＴＢＳテーブルの新しい行（すなわち、第２の組の行）は、Ｎ個の新しいＴＢＳ値を含み、ここで、Ｎ≪Ｍであり、Ｍは、新しい行のＴＢＳテーブルエントリの総数である。
【００４６】
図１９は、１つの例による２５６ＱＡＭのための図１８Ａから図１８ＤのＴＢＳテーブルからのＴＢＳ値に対する実際の符号化率および符号化率の最大偏差を示す。とりわけ、この例では、ターゲット符号化率は上述で与えられた新しいＭＣＳテーブルによって規定されている。しかしながら、これは、ＱＰＳＫ、１６ＱＡＭ、および６４ＱＡＭに加えて２５６ＱＡＭをサポートするために使用できる新しいＭＣＳテーブルの１つの例にすぎないことに留意されたい。本明細書で説明する同じ設計原理を使用して、ＱＰＳＫ、１６ＱＡＭ、６４ＱＡＭ、および２５６ＱＡＭをサポートするように設計された任意の好適なＭＣＳテーブルに基づいて新しいＴＢＳテーブルのための第２の組の行を発生することができる。
【００４７】
多数の空間多重レイヤにマッピングされた２５６ＱＡＭトランスポートブロックをサポートするために、１から２への、１から３への、および１から４へのＴＢＳ変換テーブルの各々に対してＴＢＳ＝７６，２０８、７８，７０４、８１，１７６、８４，７６０、８７，９３６、９０，８１６、９３，８００、および９７，８９６に関する新しい８つのマッピングを利用することができる。具体的には、いくつかの実施形態において、±０．４％のマッピング最大偏差を許容することによって、追加の１レイヤから２レイヤへのマッピングは、図２０に示すように、いかなる新しいＴＢＳ値も導入することなくサポートすることができる。特に、これらのマッピングは、新しいＴＢＳ値が導入されないようにＬＴＥリリース１１に規定されている既存のマッピングからの値を再使用している。いくつかの実施形態において、±１．２５％のマッピング最大偏差を許容することによって、追加の１レイヤから３レイヤへのマッピングは、図２１に示すように、いかなる新しいＴＢＳ値も導入することなくサポートすることができる。再度、図２１のマッピングは、新しいＴＢＳ値が導入されないようにＬＴＥリリース１１に規定されている既存のマッピングからの値を再使用している。いくつかの実施形態では、追加の１レイヤから４レイヤへのマッピングは、図２２に示すように８つの新しいＴＢＳ値を使用してサポートされる。言い換えれば、図２２に示された１レイヤから４レイヤへのマッピングのためのＴＢＳ値は、ＬＴＥリリース１１  ＴＢＳテーブル、またはＬＴＥリリース１１の１レイヤから２レイヤ、３レイヤ、もしくは４レイヤへのマッピングのいずれにおいても使用されていない新しいＴＢＳ値を使用している。全体として、図１８Ａから図１８Ｄの新しいＴＢＳテーブルの例は、８つの新しいＴＢＳ値を加えており、図２０から図２２のマッピングの例は、さらに８つの新しいＴＢＳ値を加えている。ＬＴＥリリース１１の２２９個の独自のＴＢＳ値と組み合わされると、これは、２４５個の独自のＴＢＳ値をもたらす。これにより、ＴＢＳテーブルは１９ビットの整数の代わりに８ビットのインデクスで記憶できるようになり、それは記憶要求量を少なくとも半分だけ減少させる。
【００４８】
いくつかの他の実施形態において、新しいＴＢＳテーブルの新しい行（すなわち、第２の組の行）は、ＬＴＥリリース８設計原理による物理リソースブロック（ＰＲＢ）の数（ＮＰＲＢ）＝１００の最大ＴＢＳでピークレートを設定することによって設計される。これに基づき、いくつかの実施形態では、新しいＴＢＳテーブルは、ＮＰＲＢ≦１００では図１８Ａから図１８Ｄに関して上述したものと同じである。ＮＰＲＢ＞１００では、最大ＴＢＳ値は、ＮＰＲＢ＝１００での最大ＴＢＳ値に設定され、それは、この例では８７，９３６である。ＮＰＲＢ＞１００での新しいＴＢＳテーブルの結果として生じる行が図２３に示されている。
【００４９】
とりわけ、図２３の実施形態において、新しいＴＢＳテーブルの行２７から行３２は、既存のＬＴＥリリース１１  ＴＢＳテーブルからのＴＢＳ値を実質的に再使用している。特に、５つの新しいＴＢＳ値のみが存在し、ここで、５つの新しいＴＢＳ値は、７６，２０８、７８，７０４、８１，１７６、８４，７６０、および８７，９３６である。しかしながら、これらの５つの新しい値は単なる１つの例であることに留意されたい。より一般的には、新しいＴＢＳテーブルの新しい行（すなわち、第２の組の行）は、Ｎ個の新しいＴＢＳ値を含み、ここで、Ｎ≪Ｍであり、Ｍは、新しい行のＴＢＳテーブルエントリの総数である。
【００５０】
多数の空間多重レイヤにマッピングされた２５６ＱＡＭトランスポートブロックをサポートするために、１から２への、１から３への、および１から４へのＴＢＳ変換テーブルの各々に対してＴＢＳ＝７６，２０８、７８，７０４、８１，１７６、８４，７６０、および８７，９３６に関する新しい５つのマッピングを利用することができる。具体的には、いくつかの実施形態において、±０．４％のマッピング最大偏差を許容することによって、追加の１レイヤから２レイヤへのマッピングは、図２４に示すように、いかなる新しいＴＢＳ値も導入することなくサポートすることができる。特に、これらのマッピングは、新しいＴＢＳ値が導入されないようにＬＴＥリリース１１に規定されている既存のマッピングからの値を再使用している。いくつかの実施形態において、±１．２５％のマッピング最大偏差を許容することによって、追加の１レイヤから３レイヤへのマッピングは、図２５に示すように、いかなる新しいＴＢＳ値も導入することなくサポートすることができる。再度、図２５のマッピングは、新しいＴＢＳ値が導入されないようにＬＴＥリリース１１に規定されている既存のマッピングからの値を再使用している。いくつかの実施形態では、追加の１レイヤから４レイヤへのマッピングは、図２６に示すように５つの新しいＴＢＳ値を使用してサポートされる。言い換えれば、図２６に示された１レイヤから４レイヤへのマッピングのためのＴＢＳ値は、ＬＴＥリリース１１  ＴＢＳテーブル、またはＬＴＥリリース１１の１レイヤから２レイヤ、３レイヤ、もしくは４レイヤへのマッピングのいずれにおいても使用されていない５つの新しいＴＢＳ値を使用している。全体として、図２３の新しいＴＢＳテーブルの例は、５つの新しいＴＢＳ値を加えており、図２４から図２６のマッピングの例は、さらに５つの新しいＴＢＳ値を加えている。これは、ＬＴＥリリース１１の２２９個の独自のＴＢＳ値と組み合わせられると、２３９個の独自のＴＢＳ値をもたらす。これにより、ＴＢＳテーブルは１９ビットの整数の代わりに８ビットのインデクスで記憶できるようになり、それは記憶要求量を少なくとも半分だけ減少させる。
【００５１】
他の実施形態では、新しいＴＢＳテーブルは、ＮＰＲＢ＝１００に対してわずかに高い符号化率を許容するように設計することができるが、依然として、図２３の実施形態について上述したものと同じ設計原理に従う。１つの例では、これは、８８，８９６という新しいＴＢＳ値を導入し、わずかに高いピークレートを可能にする。ＮＰＲＢ＝１００の符号化率およびこのＴＢＳ値＝８８，８９６は、正確には０．９３０の符号化率をもたらす。結果として生じるＴＢＳテーブルは、ＮＰＲＢ＝９０までのＴＢＳに対する図１８Ａから図１８ＤのＴＢＳテーブルと同じである。ＮＰＲＢ＞９０の場合が図２７に与えられる。
【００５２】
とりわけ、図２７の実施形態において、新しいＴＢＳテーブルの行２７から行３２は、既存のＬＴＥリリース１１  ＴＢＳテーブルからのＴＢＳ値を実質的に再使用している。特に、６つの新しいＴＢＳ値のみが存在し、ここで、６つの新しいＴＢＳ値は、７６，２０８、７８，７０４、８１，１７６、８４，７６０、８７，９３６、および８８，８９６である。しかしながら、これらの６つの新しい値は単なる１つの例であることに留意されたい。より一般的には、新しいＴＢＳテーブルの新しい行（すなわち、第２の組の行）は、Ｎ個の新しいＴＢＳ値を含み、ここで、Ｎ≪Ｍであり、Ｍは、新しい行のＴＢＳテーブルエントリの総数である。
【００５３】
多数の空間多重レイヤにマッピングされた２５６ＱＡＭトランスポートブロックをサポートするために、１から２への、１から３への、および１から４へのＴＢＳ変換テーブルの各々に対してＴＢＳ＝７６，２０８、７８，７０４、８１，１７６、８４，７６０、８７，９３６、および８８，８９６に関する６つの新しいマッピングを利用することができる。具体的には、いくつかの実施形態において、±０．４％のマッピング最大偏差を許容することによって、追加の１レイヤから２レイヤへのマッピングは、図２８に示すように、いかなる新しいＴＢＳ値も導入することなくサポートすることができる。特に、これらのマッピングは、新しいＴＢＳ値が導入されないようにＬＴＥリリース１１に規定されている既存のマッピングからの値を再使用している。いくつかの実施形態において、±１％のマッピング最大偏差を許容することによって、追加の１レイヤから３レイヤへのマッピングは、図２９に示すように、いかなる新しいＴＢＳ値も導入することなくサポートすることができる。再度、図２９のマッピングは、新しいＴＢＳ値が導入されないようにＬＴＥリリース１１に規定されている既存のマッピングからの値を再使用している。いくつかの実施形態では、追加の１レイヤから４レイヤへのマッピングは、図３０に示すように６つの新しいＴＢＳ値を使用してサポートされる。言い換えれば、図３０に示された１レイヤから４レイヤへのマッピングのためのＴＢＳ値は、ＬＴＥリリース１１  ＴＢＳテーブル、またはＬＴＥリリース１１の１レイヤから２レイヤ、３レイヤ、もしくは４レイヤへのマッピングのいずれにおいても使用されていない６つの新しいＴＢＳ値を使用している。全体として、図２７の新しいＴＢＳテーブルの例は、６つの新しいＴＢＳ値を加えており、図２８から図３０のマッピングの例は、さらに６つの新しいＴＢＳ値を加えている。これは、ＬＴＥリリース１１の２２９個の独自のＴＢＳ値と組み合わせられると、２４１個の独自のＴＢＳ値をもたらす。これにより、ＴＢＳテーブルは１９ビットの整数の代わりに８ビットのインデクスで記憶できるようになり、それは記憶要求量を少なくとも半分だけ減少させる。
【００５４】
とりわけ、上記の図１７は、ダウンリンク送信を受信するためにワイヤレスデバイス２０が新しいＴＢＳテーブルを利用するプロセスを示している。しかしながら、新しいＴＢＳテーブルは、さらに、基地局１６−１などの無線アクセスノードによって使用されて、ダウンリンク送信を送信する（例えば、ＰＤＳＣＨを送信する）ことができる。この点に関して、図３１は、本開示のいくつかの実施形態による、新しいＴＢＳテーブルを利用するための基地局１６の動作を示す。このプロセスは、図１６のステップ１０２からステップ１０６に対応する。図示のように、基地局１６は、ワイヤレスデバイス２０によって報告されたＣＱＩに基づいてワイヤレスデバイス２０へのダウンリンク送信（例えば、ＰＤＳＣＨ送信）のための、ＭＣＳインデクス（ＩＭＣＳ）を含むＭＣＳを決定する（ステップ３００）。基地局１６は、ＭＣＳインデクス（ＩＭＣＳ）、およびＴＢＳインデクス（ＩＴＢＳ）値とＭＣＳインデクス（ＩＭＣＳ）値との間の既定の関係（例えば、既定のＭＣＳテーブルにおける）に基づいて、適切なＴＢＳインデクス（ＩＴＢＳ）を決定する（ステップ３０２）。次に、基地局１６は、第１の組の変調方式（例えば、ＱＰＳＫ、１６ＱＡＭ、および６４ＱＡＭ）および２５６ＱＡＭの両方をサポートする新しいＴＢＳテーブルを使用して、ＴＢＳインデクス（ＩＴＢＳ）およびリソースブロックの数（ＮＲＢ）に基づいて、ＰＤＳＣＨ送信のためのＴＢＳを決定する（ステップ３０４）。新しいＴＢＳテーブルは、（ａ）２５６ＱＡＭは除いて第１の組の変調方式をサポートする既存のＴＢＳテーブル（例えば、ＬＴＥリリース１１のためのＴＢＳテーブル）からの第１の組の行と、（ｂ）上述のように、新しいＴＢＳテーブルを用意するために既存のテーブルに加えられ、既存のＴＢＳテーブルによる第１の組の行からのＴＢＳ値を実質的に再使用する第２の組の行とを含む。いくつかの実施形態において、空間多重が、ＰＤＳＣＨ送信（例えば、２つ以上の空間レイヤ）で使用される場合、ＰＤＳＣＨ送信のためのＴＢＳは、１つの空間レイヤの適切なＴＢＳ値からＬ個の空間レイヤのＴＢＳ値の規定されたマッピングを使用してさらに決定され、ここで、ＬはＰＤＳＣＨ送信で使用される空間レイヤの数であり、Ｌ＞１である。次に、基地局１６は、決定されたＴＢＳを使用してダウンリンク送信をワイヤレスデバイス２０に送信する（ステップ３０６）。上述で論じたように、いくつかの実施形態では、ダウンリンク送信は、ＰＤＳＣＨ送信であり、ＭＣＳインデクス（ＩＭＣＳ）は、対応するＤＣＩの他の制御情報と一緒にワイヤレスデバイス２０に送信される。
【００５５】
図３２は、本開示のいくつかの実施形態によるワイヤレスデバイス２０のブロック図である。図示のように、ワイヤレスデバイス２０は、１つまたは複数のプロセッサ２２（例えば、中央処理装置（ＣＰＵ）、特定用途向け集積回路（ＡＳＩＣ）、フィールドプログラマブルゲートアレイ（ＦＰＧＡ））と、メモリ２４と、１つまたは複数のアンテナ３２に結合された１つまたは複数の送信器２８および１つまたは複数の受信器３０を含むトランシーバ２６とを含む。いくつかの実施形態において、本明細書で説明するワイヤレスデバイス２０の機能は、メモリ２４に記憶されるソフトウェアで実装され、ここで、ソフトウェアは、ワイヤレスデバイス２０が本明細書で説明する実施形態のうちのいずれかに従って動作するようにプロセッサ２２によって実行される。
【００５６】
いくつかの実施形態において、少なくとも１つのプロセッサによって実行されたとき、少なくとも１つのプロセッサに本明細書で説明する実施形態のうちのいずれかのものに従ってワイヤレスデバイス２０の機能を実行させる命令を含むコンピュータプログラムが提供される。１つの実施形態では、先に述べたコンピュータプログラムを含むキャリアが用意される。キャリアは、電子信号、光信号、無線信号、またはコンピュータ可読記憶媒体（例えば、メモリ２４などの非一時的コンピュータ可読媒体）のうちの１つである。
【００５７】
図３３は、本開示のいくつかの他の実施形態によるワイヤレスデバイス２０のブロック図である。図示のように、ワイヤレスデバイス２０は、ＣＱＩ決定および報告モジュール３４と、ＤＣＩ受信モジュール３６と、ＴＢＳインデクス決定モジュール３８と、ＴＢＳ決定モジュール４０と、ダウンリンク受信モジュール４２とを含み、これらの各々はソフトウェアで実装される。いくつかの実施形態では、ＣＱＩ決定および報告モジュール３４は、基地局１６からワイヤレスデバイス２０へのダウンリンクチャネルのためのＣＱＩを決定し、ワイヤレスデバイス２０の関連する送信器（図示せず）を介して基地局１６にＣＱＩを報告する。ＤＣＩ受信モジュール３６は、ワイヤレスデバイス２０の関連する受信器（図示せず）を介して、基地局１６からワイヤレスデバイス２０に送信されるＤＣＩを受信する。ＤＣＩに含まれるＭＣＳインデクス（ＩＭＣＳ）に基づいて、ＴＢＳインデクス決定モジュール３８は、新しいＴＢＳテーブルの対応するＴＢＳインデクス（ＩＴＢＳ）を決定するように動作する。次に、ＴＢＳ決定モジュール４０は、上述のように、ＴＢＳインデクス（ＩＴＢＳ）を使用して、新しいＴＢＳテーブルから適切なＴＢＳのサイズを決定する。次に、ダウンリンク受信モジュール４２は、ＤＣＩと決定されたＴＢＳとに従って、基地局１６からワイヤレスデバイス２０へのダウンリンク送信を受信する。
【００５８】
図３４は、本開示のいくつかの実施形態による基地局１６のブロック図である。図示のように、基地局１６は、１つまたは複数のプロセッサ４６（例えば、ＣＰＵ、ＡＳＩＣ、および／またはＦＰＧＡ）と、メモリ４８と、ネットワークインタフェース５０とを含むベースバンドユニット４４を含む。加えて、基地局１６は、１つまたは複数のアンテナ５８に結合された１つまたは複数の送信器５４および１つまたは複数の受信器５６を含む無線ユニット５２を含む。いくつかの実施形態では、基地局１６の機能は、ソフトウェアで実装され、プロセッサ４６による実行のためにメモリ４８に記憶される。
【００５９】
いくつかの実施形態において、少なくとも１つのプロセッサによって実行されたとき、少なくとも１つのプロセッサに本明細書で説明する実施形態のうちのいずれかのものに従って基地局１６の機能を実行させる命令を含むコンピュータプログラムが提供される。１つの実施形態では、先に述べたコンピュータプログラムを含むキャリアが用意される。キャリアは、電子信号、光信号、無線信号、またはコンピュータ可読記憶媒体（例えば、メモリ４８などの非一時的コンピュータ可読媒体）のうちの１つである。
【００６０】
図３５は、本開示のいくつかの他の実施形態による基地局１６のブロック図である。図示のように、基地局１６は、ＣＱＩ受信モジュール６０と、ＭＣＳ選択モジュール６２と、ダウンリンク送信モジュール６４とを含み、これらの各々はソフトウェアで実装される。ＣＱＩ受信モジュール６０は、基地局１６（図示せず）の関連する受信器を介して、ワイヤレスデバイス２０からのＣＱＩを受信するように動作する。ＣＱＩに基づいて、ＭＣＳ選択モジュール６２は、ワイヤレスデバイス２０へのダウンリンク送信のためのＭＣＳを選択するかまたは決定する。ダウンリンク送信モジュール６４は、選択されたＭＣＳの対応するＭＣＳインデクス（ＩＭＣＳ）を使用して、新しいＴＢＳテーブルの対応するＴＢＳインデクス（ＩＴＢＳ）を決定する。次に、ダウンリンク送信モジュール６４は、上述のように、ダウンリンク送信のためにスケジューリングされた／割り当てられたＴＢＳインデクス（ＩＴＢＳ）とＰＲＢの数（ＮＰＲＢ）とを使用して、ダウンリンク送信のための適切なＴＢＳのサイズを新しいＴＢＳテーブルから決定する。次に、ダウンリンク送信モジュール６４は、関連する送信器（図示せず）を介してダウンリンク送信をワイヤレスデバイス２０に送信する。
【００６１】
本明細書で開示される実施形態の結果は、少なくともかなりの範囲まで既存のＴＢＳテーブルを使用することによって２５６ＱＡＭを導入するための費用効果的な技法である。
【００６２】
図のプロセスは、本開示のいくつかの実施形態によって実行される動作の特定の順序を示しているが、そのような順序は例示である（例えば、代替実施形態は、異なる順序で動作を実行することができる、いくつかの動作を組み合わせることができる、いくつかの動作を重ねることができる、等）ことを理解されるべきでる。
【００６３】
概念がいくつかの実施形態に関して説明されているが、本明細書で開示される概念は、説明した実施形態に限定されず、添付の特許請求の趣旨および範囲内で変更および改変により実践することができることを当業者は認識するであろう。したがって、説明は、限定の代わりに例示であると見なされるべきである。
【００６４】
以下の頭字語が本開示の全体にわたって使用されている。
・３ＧＰＰ  第３世代パートナーシッププロジェクト
・ＡＳＩＣ  特定用途向け集積回路
・ＣＦＩ  制御書式インジケータ
・ＣＰＵ  中央処理装置
・ＣＱＩ  チャネル品質情報
・ｄＢ  デシベル
・ＤＣＩ  ダウンリンク制御情報
・ＤＦＴ  離散フーリエ変換
・ｅＮＢ  拡張またはエボルブドノードＢ
・ＥＰＣ  拡張またはエボルブドパケットコア
・ＥＰＤＣＣＨ  拡張物理ダウンリンク制御チャネル
・ＥＰＳ  拡張またはエボルブドパケットシステム
・Ｅ−ＵＴＲＡＮ  エボルブドユニバーサル地上無線アクセスネットワーク
・ＥＶＭ  エラーベクタマグニチュード
・ＦＰＧＡ  フィールドプログラマブルゲートアレイ
・ＨＡＲＱ  ハイブリッド自動再送要求
・ＬＴＥ  ロングタームエボリューション
・ＭＣＳ  変調符号化方式
・ｍｓ  ミリ秒
・ＯＦＤＭ  直交周波数分割多重
・ＰＤＣＣＨ  物理ダウンリンク制御チャネル
・ＰＤＳＣＨ  物理ダウンリンク共有チャネル
・ＰＲＢ  物理リソースブロック
・ＱＡＭ  直交振幅変調
・ＱＰＳＫ  ４相位相シフトキーイング
・ＲＡＮ  無線アクセスネットワーク
・ＲＲＨ  リモート無線ヘッド
・ＳＩＮＲ  信号対干渉および雑音比
・ＳＮＲ  信号対雑音比
・ＴＢＳ  トランスポートブロックサイズ
・ＵＥ  ユーザ機器
・ＶＲＢ  仮想リソースブロック
・Ｗ−ＣＤＭＡ  広帯域符号分割多元接続
【００６５】
当業者は、本開示の実施形態への改善および変更を認識するであろう。すべてのそのような改善および変更は、本明細書で開示される概念および次に続く特許請求の範囲の範囲内にあると見なされる。
【図１】
0006339211.tif 000003
【図２】
0006339211.tif 000004
【図３】
0006339211.tif 000005
【図４】
0006339211.tif 000006
【図５】
0006339211.tif 000007
【図６】
0006339211.tif 000008
【図７Ａ】
0006339211.tif 000009
【図７Ｂ】
0006339211.tif 000010
【図７Ｃ】
0006339211.tif 000011
【図７Ｄ】
0006339211.tif 000012
【図７Ｅ】
0006339211.tif 000013
【図７Ｆ】
0006339211.tif 000014
【図７Ｇ】
0006339211.tif 000015
【図７Ｈ】
0006339211.tif 000016
【図７Ｉ】
0006339211.tif 000017
【図７Ｊ】
0006339211.tif 000018
【図７Ｋ】
0006339211.tif 000019
【図８】
0006339211.tif 000020
【図９】
0006339211.tif 000021
【図１０】
0006339211.tif 000022
【図１１】
0006339211.tif 000023
【図１２】
0006339211.tif 000024
【図１３】
0006339211.tif 000025
【図１４】
0006339211.tif 000026
【図１５】
0006339211.tif 000027
【図１６】
0006339211.tif 000028
【図１７】
0006339211.tif 000029
【図１８Ａ】
0006339211.tif 000030
【図１８Ｂ】
0006339211.tif 000031
【図１８Ｃ】
0006339211.tif 000032
【図１８Ｄ】
0006339211.tif 000033
【図１９】
0006339211.tif 000034
【図２０】
0006339211.tif 000035
【図２１】
0006339211.tif 000036
【図２２】
0006339211.tif 000037
【図２３】
0006339211.tif 000038
【図２４】
0006339211.tif 000039
【図２５】
0006339211.tif 000040
【図２６】
0006339211.tif 000041
【図２７】
0006339211.tif 000042
【図２８】
0006339211.tif 000043
【図２９】
0006339211.tif 000044
【図３０】
0006339211.tif 000045
【図３１】
0006339211.tif 000046
【図３２】
0006339211.tif 000047
【図３３】
0006339211.tif 000048
【図３４】
0006339211.tif 000049
【図３５】
0006339211.tif 000050